(57)【特許請求の範囲】
【請求項１】
ワイヤレス通信のためのモバイルデバイスであって、
第１の信号タイプの２つの信号をアグリゲートするように構成された２つ以上のトランシーバを有するキャリアアグリゲーションラジオを備え、
前記トランシーバのうちの少なくとも１つのトランシーバは、第２の信号タイプを検出したことに応答して、他のトランシーバのうちの少なくとも１つのトランシーバが前記第１の信号タイプを受信し続ける間に、前記第２の信号タイプを受信するようにさらに構成され、
ここにおいて、前記第２の信号タイプを検出することが、前記第１の信号タイプの前記キャリアアグリゲーションを中止させ、前記第１の信号タイプがＷＷＡＮ信号であり、前記第２の信号タイプがＷＬＡＮ信号である、
モバイルデバイス。
【請求項２】
前記トランシーバのうちの前記少なくとも１つのトランシーバが前記第２の信号タイプを受信することを可能にするために前記トランシーバのうちの前記少なくとも１つのトランシーバ内のフィルタ特性を調整すること、
前記トランシーバのうちの前記少なくとも１つのトランシーバが前記第２の信号タイプを受信することを可能にするために前記トランシーバのうちの前記少なくとも１つのトランシーバ中のフィルタを切り替えること、
のうちの少なくとも１つのために構成されたトランシーバコントローラをさらに備える、請求項１に記載のモバイルデバイス。
【請求項３】
前記少なくとも１つのトランシーバによって受信されている信号のタイプを検出するように構成されたベースバンドプロセッサをさらに備え、
ここにおいて、前記ベースバンドプロセッサは、前記トランシーバが前記第１の信号タイプを受信しているのかまたは前記第２の信号タイプを受信しているのかに基づいて別様に信号を処理するように構成される、
請求項２に記載のモバイルデバイス。
【請求項４】
前記トランシーバコントローラが、前記トランシーバのうちの前記少なくとも１つのトランシーバ中での前記フィルタ特性の変更に関してベースバンドプロセッサに通知し、ここにおいて、前記フィルタ特性が、中心周波数である、請求項２に記載のモバイルデバイス。
【請求項５】
前記トランシーバのうちの前記少なくとも１つのトランシーバが、ＦＤＤデュプレクサをバイパスするために信号経路を作成する複数の単極双投スイッチを含み、
前記モバイルデバイスが、前記ＦＤＤデュプレクサをバイパスする前記信号経路を作成するために前記少なくとも１つのトランシーバの前記複数の単極双投スイッチに制御信号を送信するように構成されたコントローラをさらに備える、請求項１に記載のモバイルデバイス。
【請求項６】
ワイヤレス通信のための方法であって、
第１のトランシーバによって第１のタイプの信号を受信することと、
第２のトランシーバによって第１のタイプの信号を受信することと、
前記第１のトランシーバによって受信された前記信号と前記第２のトランシーバによって受信された前記信号とをキャリアアグリゲートすることと、
第２のタイプの信号を検出することと、
前記第２のタイプの信号を検出したことに応答して、前記第２のトランシーバが前記第１のタイプの信号を受信し続ける間に、前記第２のタイプの信号を受信するように前記第１のトランシーバを切り替えることと、
ここにおいて、前記第２のタイプの信号を検出することが、前記第１のタイプの信号の前記キャリアアグリゲーションを中止させ、前記第１のタイプの信号がＷＷＡＮ信号であり、前記第２のタイプの信号がＷＬＡＮ信号である、
を備える方法。
【請求項７】
前記第１のトランシーバと前記第２のトランシーバとが、キャリアアグリゲーション中にＷＷＡＮ信号を受信するように構成された、請求項６に記載の方法。
【請求項８】
前記切り替えることが、前記第１のトランシーバに接続されたコントローラによって実行され、前記方法が、
少なくとも１つのＦＤＤデュプレクサをバイパスするために前記第１のトランシーバに制御信号を送ることをさらに備える、請求項６に記載の方法。
【請求項９】
前記第１のトランシーバが前記第２のタイプの信号を受信することを可能にするために前記第１のトランシーバ内のフィルタの特性を調整することをさらに備える、請求項６に記載の方法。
【請求項１０】
前記第１のトランシーバが前記第２のタイプの信号を処理することを可能にするために、フィルタ周波数を調整することと、前記第１のトランシーバ内の単極双投スイッチのうちの少なくとも１つをアクティブ化することとを行うように構成されたトランシーバコントローラをさらに備える、請求項６に記載の方法。
【請求項１１】
前記トランシーバコントローラが、処理されている信号に基づいて異なる制御信号を与えるように構成された、請求項１０に記載の方法。
【請求項１２】
前記第２のトランシーバは、前記第２のタイプの信号を検出したことに応答して、前記第１のタイプの信号を受信し続ける、請求項６に記載の方法。
【請求項１３】
請求項６〜請求項１２のいずれか一項に記載のステップを実行するための命令を記憶したコンピュータ可読媒体を備える、コンピュータプログラム製品。
【発明の詳細な説明】
【技術分野】
【０００１】
関連出願の相互参照
[0001]本出願は、本出願の譲受人に譲渡され、参照により本明細書に明確に組み込まれる、２０１３年１２月３日に出願された「ＤＵＡＬ  ＭＯＤＥ  ＷＷＡＮ  ＡＮＤ  ＷＬＡＮ  ＴＲＡＮＳＣＥＩＶＥＲ  ＳＹＳＴＥＭＳ  ＡＮＤ  ＭＥＴＨＯＤＳ」と題する米国特許出願第１４／０９５，７７９号の利益を主張する。
【０００２】
[0002]本開示は、一般に通信システムおよびプロセスに関し、より詳細には、キャリアアグリゲーションをサポートするトランシーバを採用する通信システムおよびプロセスに関する。特定の実施形態は、ロングタームエボリューション（ＬＴＥ（登録商標））キャリアアグリゲーションをサポートし、ワイヤレスローカルエリアネットワークをサポートするように適合されたトランシーバを用いるシステムおよびプロセスに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。これらは、スペクトル効率を改善することによってモバイルブロードバンドインターネットアクセスをより良くサポートし、コストを下げ、サービスを改善し、新しいスペクトルを利用し、また、ダウンリンク（ＤＬ：downlink）上ではＯＦＤＭＡを使用し、アップリンク（ＵＬ：uplink）上ではＳＣ−ＦＤＭＡを使用し、多入力多出力（ＭＩＭＯ：multiple-input multiple-output）アンテナ技術を使用して他のオープン規格とより良く統合する。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であり得る。
【０００５】
[0005]先進のワイヤレスデバイスは、異なるタイプの信号（たとえば、異なる周波数および帯域幅の信号）を受信または送信する複数のトランシーバまたはラジオ（限定はしないが、２Ｇ、３Ｇ、４Ｇなどのワイヤレスワイドエリアネットワーク（ＷＷＡＮ）、Ｗｉ−Ｆｉ（登録商標）としても知られているワイヤレスローカルエリアネットワーク（ＷＬＡＮ）、Ｂｌｕｅｔｏｏｔｈ（登録商標）およびｚｉｇｂｅｅなどのワイヤレスパーソナルエリアネットワーク（ＷＰＡＮ）、ＲＦＩＤ（無線周波数識別）など）を有することができる。様々な実装形態は、複数の規格をサポートするために専用ハードウェアを組み込む。たとえば、ワイヤレスＬＡＮおよびＰＡＮを用いて何らかの統合が実行され得る場合であっても、これらの回路は、通信規格ごとに１つのＲＦフロントエンドを含む。ワイヤレスデバイスごとの複数のＲＦフロントエンドにより、実装形態が、複雑で、巨大で、コストのかかるものになり得る。
【発明の概要】
【０００６】
[0006]ワイヤレス通信の方法は、限定はしないが、第１のトランシーバによって第１のタイプの信号を受信することと、第２のトランシーバによって第１のタイプの信号を受信することと、第１のトランシーバと第２のトランシーバとによって受信された信号をキャリアアグリゲートすることとのうちのいずれか１つまたはそれらの任意の組合せを含む。本方法は、第２のタイプの信号を検出することと、第２のトランシーバが第１のタイプの信号を受信し続ける間に、第２の信号タイプを受信するように第１のトランシーバを切り替えることとを含む。第１のトランシーバと第２のトランシーバとは、キャリアアグリゲーション中に第１のタイプの信号を受信するように構成される。第１のトランシーバと第２のトランシーバとは、ＭＩＭＯ（多入力多出力）動作中に第２のタイプの信号を受信するように構成される。本方法は、第１のタイプの信号がＷＷＡＮ信号であること、および第２のタイプの信号がＷＬＡＮ信号であることを含む。本方法は、切り替えることが、第１のトランシーバに接続されたコントローラによって実行されることを含む。コントローラは、少なくとも１つのＦＤＤデュプレクサをバイパスするために第１のトランシーバに制御信号を送ることを行うように構成され得る。本方法は、第１のトランシーバが第２のタイプの信号を受信することを可能にするために第１のトランシーバ内のフィルタの特性を調整することを含む。本方法は、少なくとも１つのトランシーバが第２の信号タイプを受信することを可能にするためにトランシーバのうちの少なくとも１つのトランシーバ内のフィルタ特性を調整するように構成されたトランシーバコントローラを使用して調整することを含み得る。本方法は、トランシーバコントローラが、処理されている信号に基づいて異なる制御信号を与えるように構成されていることを含む。本方法は、第２のタイプの信号を処理するために第１のトランシーバ内に信号経路を作成するように少なくとも１つの制御信号を変更するように構成されたトランシーバコントローラを変更することを含む。
【０００７】
[0007]第１の信号タイプの２つの信号をアグリゲートするように構成された２つ以上のトランシーバを有するキャリアアグリゲーションラジオを含むワイヤレス通信のためのモバイルデバイスを含むワイヤレス通信のシステムであって、他のトランシーバが第１の信号タイプを受信し続ける間に、トランシーバのうちの少なくとも１つのトランシーバが第２の信号タイプを受信するように構成された、ワイヤレス通信のシステム。ＭＩＭＯ（多入力多出力）動作中に、第１のトランシーバと第２のトランシーバとを含むシステムは、第２のタイプの信号を受信するように構成される。モバイルデバイスは、トランシーバが第２の信号タイプを受信することを可能にするためにトランシーバのうちの少なくとも１つのトランシーバ内のフィルタ特性を調整するように構成されたトランシーバコントローラを含み得る。モバイルデバイスはまた、少なくとも１つのトランシーバによって受信されている信号のタイプを検出するように構成されたベースバンドプロセッサを含み、ベースバンドプロセッサは、トランシーバが第１の信号タイプを受信しているのかまたは第２の信号タイプを受信しているのかに基づいて別様に信号を処理するように構成される。モバイルデバイス中のトランシーバコントローラは、ベースバンドプロセッサが異なるタイプの信号を処理するように構成され得るように、トランシーバのうちの少なくとも１つのトランシーバ中でのフィルタ特性の変更に関してベースバンドプロセッサにメッセージを送り得る。
【０００８】
[0008]モバイルデバイス中のトランシーバコントローラは、トランシーバのうちの少なくとも１つのトランシーバ中のフィルタの間で切り替えるように構成される。フィルタの間で切り替えることにより、トランシーバのうちの少なくとも１つは、第２のタイプの信号を受信することが可能になり得る。モバイルデバイスは、ＷＷＡＮ信号である第１の信号タイプを受信するように構成され、ここで、第２の信号タイプはＷＬＡＮ信号である。ＦＤＤデュプレクサをバイパスする信号経路を作成するために少なくとも１つのトランシーバの複数の単極双投スイッチに制御信号を送信するように構成されたコントローラを含むモバイルデバイス。アクティブ化されたときに、トランシーバ内でＦＤＤデュプレクサをバイパスするために信号経路を作成する複数の単極双投スイッチを含む少なくとも１つのトランシーバを含むモバイルデバイス。
【０００９】
[0009]ワイヤレス通信のための装置であって、第１のトランシーバと第２のトランシーバとによって受信された第１の信号タイプの２つの信号をアグリゲートするための手段と、第２の信号タイプを検出すると、少なくとも１つのトランシーバによって、第２の信号タイプを受信するための手段とを備える装置。本装置は、第２の信号タイプに基づいて第１のトランシーバ内のフィルタの特性を変更するための手段を含む。本装置は、第２の信号タイプを検出するための手段をさらに含む。本装置は、第２のトランシーバが第１のタイプの信号を受信し続ける間に、第２のタイプの信号を受信するように第１のトランシーバを変更するための第１の制御信号を生成するための手段を含み得る。
【図面の簡単な説明】
【００１０】
【図１】[0010]ワイヤレス通信のためのネットワークの一例を示す図。
【図２Ａ】[0011]キャリアアグリゲーションモードにあるＲＦモジュールの一例を示す図。
【図２Ｂ】[0012]第１のタイプの信号と第２のタイプの信号とを受信するように構成されたＲＦモジュールの一例を示す図。
【図３】[0013]図１〜図２Ｂ中のシステムによって実施され得るワイヤレス通信の方法のフローチャート。
【図４】[0014]ワイヤレス通信を実施するためのシステムの概略図。
【図５】[0015]図１〜図２Ｂおよび図４中のシステムによって実施され得るワイヤレス通信の方法のフローチャート。
【図６】[0016]ワイヤレス通信を実施するためのシステムの概略図。
【図７】[0017]図６中のシステム上で実施され得るワイヤレス通信の方法のフローチャート。
【発明を実施するための形態】
【００１１】
[0018]本開示の実施形態は、デュアルモードワイヤレスＷＡＮおよびワイヤレスＬＡＮトランシーバシステムを対象とする。複数のトランシーバは、本明細書ではユーザ機器（ＵＥ）と呼ぶモバイルフォン、スマートフォン、タブレット、または他の電子モバイル通信デバイス中で異なる周波数の２つ以上の信号をアグリゲートするように構成され得る。ＵＥ１０２の例としては、セルラーフォン、スマートフォン、タッチ入力タブレット、セッション開始プロトコル（ＳＩＰ：session initiation protocol）フォン、ラップトップ、携帯情報端末（ＰＤＡ）、衛星ラジオ、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、ワイヤレスデバイス、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１２】
[0019]２つの信号のキャリアアグリゲーションにより、トランシーバのセットは、モバイルデバイスが、第１のタイプのより広い帯域幅の信号を受信し、より高いスループットを与えることができるように信号をアグリゲートするために異なる周波数で信号を受信することが可能になる。様々な実施形態では、第１のタイプの信号はＷＷＡＮ信号であり、第２のタイプの信号はＷＬＡＮ信号である。様々な実施形態では、トランシーバのうちの少なくとも１つは、キャリアアグリゲーションなしに、他のトランシーバが第１のタイプの信号を受信し続ける間に第２のタイプの信号を受信するように構成され得る。
【００１３】
[0020]別の実施形態では、方法は、他のトランシーバが第１の信号タイプを送信／受信し続ける間に第２の信号タイプを送信／受信するように、第１の信号タイプに対してキャリアアグリゲーションを実行するように構成されたトランシーバのセットの一部である少なくとも１つのトランシーバを再構成することを含む。
【００１４】
[0021]キャリアアグリゲーションを実行するためにトランシーバの様々な組合せが使用され得る（たとえば、２つのトランシーバが、２つの異なる周波数に同調させられ、両方のトランシーバの合成帯域幅が特定の信号タイプについて１０ＭＨｚになるように、各トランシーバが単一の５ＭＨｚ信号を受信する）。いくつかの実施形態では、異なる周波数は、互いに分離され、周波数帯域にわたって分散し得る。いくつかの実施形態では、異なる周波数は、周波数帯域において互いに隣接し得る。ＬＴＥおよびＷＣＤＭＡ（登録商標）において、帯域幅を増加させ、それによって、ビットレートを増加させるためにキャリアアグリゲーションが使用される。ＦＤＤ（周波数分割複信）およびＴＤＤ（時分割複信）の両方のためにキャリアアグリゲーションが使用され得る。各アグリゲートされたキャリアは、コンポーネントキャリア、ＣＣ、と呼ばれる。たとえば、コンポーネントキャリアが１．４、３、５、１０、１５または２０ＭＨｚの帯域幅を有することができる場合、様々なコンポーネントキャリアは１００ＭＨｚ以上の帯域幅を達成するようにアグリゲートされ得る。ＦＤＤでは、アグリゲートされるキャリアの数は、ＵＬと比較してＤＬでは異なり得る。ただし、ＵＬコンポーネントキャリアの数は、ＤＬコンポーネントキャリアの数以下になる。個別のコンポーネントキャリアはまた、帯域幅が異なり得る。ＴＤＤが使用されるとき、ＣＣの数および各ＣＣの帯域幅は、ＤＬおよびＵＬに対して同じになる。
【００１５】
[0022]特に、キャリアアグリゲーション（たとえば、ＬＴＥ）のために２つのトランシーバが使用され、別の信号（たとえば、ＷＩＦＩ）が利用可能であることをＵＥが検出すると、他のトランシーバがＬＴＥモードのままである間に、ワイヤレスＷＡＮ信号を処理するようにＵＥ中のトランシーバのうちの１つを構成するために、ＵＥ中のコントローラに信号が送られる。ＵＥ中のトランシーバを構成することは、周波数を変更すること（ＷＬＡＮ帯域に同調させること）、およびフィルタ特性（中心周波数、帯域幅、振幅および位相応答など）を調整すること、または第２の信号タイプの中心周波数および帯域幅を有する信号を受け入れるようにフィルタを切り替えることを含み得る。
【００１６】
[0023]フィルタ特性を調整することまたはフィルタを切り替えることの一部として、または、それに加えて、ベースバンドプロセッサは、ベースバンドプロセッサが、第２のまたは他のトランシーバから第１の信号タイプ（たとえば、ＣＤＭＡ、３Ｇ、ＨＳＰＡ、ＨＳＰＡ＋、ＬＴＥ、ＬＴＥアドバンスト）の信号を受信し、処理し続ける間に、第１のトランシーバから第２の信号タイプ（たとえば、ＷＬＡＮまたはＷＩＦＩ）の信号を受信するように再構成またはプログラムされ得る。
【００１７】
[0024]いくつかの実施形態では、ＵＥ上の検出ソフトウェアは、ＵＥ上でアクセス可能であるか、またはＵＥによって受信され得る信号を検出し得る。探索および検出プロセスは、サービング発展型ノードＢ（ｅＮＢ）によって制御され、所定のスケジュールに基づいて周期的に行われ得る。受信され得る第２の信号（第２のタイプの信号）を検出すると、ＵＥ中の検出ソフトウェアは、受信されていた第１の信号を受信することを停止し、第２の信号を受信するようにトランシーバを切り替えるようにトランシーバを変更することをＵＥに行わせるために、信号をＵＥ中のコントローラに送らせ得る。他のトランシーバは、第１のタイプの信号を受信し続け得る。
【００１８】
[0025]第１の信号タイプは、ＬＴＥ信号であり得、ここで、ＵＥ中の２つのトランシーバは、異なる中心周波数の信号をアグリゲートするように構成される。ＵＥが、ＷＬＡＮ信号を検出し、ＥＰＣにイベントを通信すると、トランシーバのうちの１つは、ＬＴＥ信号を受信することを停止し、他のトランシーバがＬＴＥ信号を受信し続ける間にＷＬＡＮ信号を受信するように再構成され得る。他の実施形態では、第１の信号はＷＣＤＭＡ信号であり得、第２の信号はＷＬＡＮ信号であり得る。他の実施形態では、第１の信号はＬＴＥ信号であり得、第２の信号はＨＳＰＡ＋信号であり得る。他の実施形態では、第１の信号はＷＬＡＮ信号であり得、第２の信号はＷＷＡＮ信号であり得る。他の実施形態は、第１および第２の信号に任意の他の組合せの２つの異なる信号を採用し得る。
【００１９】
[0026]添付の図面に関して以下に記載する詳細な説明は、様々な例示的な構成に関し、本明細書で説明する概念が実施され得る唯一の構成を表すものではない。
【００２０】
[0027]次に、様々な例示的な装置および方法に関して電気通信システムのいくつかの態様を提示する。これらの装置および方法が、様々なブロック、モジュール、構成要素、回路、ステップ、プロセス、アルゴリズムなど（「要素」と総称される）によって、以下の詳細な説明で説明され、添付の図面で示される。これらの要素は、電子ハードウェア、コンピュータソフトウェア、またはそれらの任意の組合せを使用して実装され得る。そのような要素がハードウェアまたはソフトウェアとして実装されるかどうかは、特定の適用例および全体的なシステムに課せられた設計制約に依存する。
【００２１】
[0028]例として、要素、または要素の任意の部分、あるいは要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語と呼ばれるか、他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２２】
[0029]アクセスネットワークによって採用される変調および多元接続方式は、展開されている特定の電気通信規格に応じて異なり得る。ＬＴＥでは、周波数分割複信（ＦＤＤ）と時分割複信（ＴＤＤ）の両方をサポートするために、ＯＦＤＭがダウンリンク（ＤＬ）上で使用され、ＳＣ−ＦＤＭＡがアップリンク（ＵＬ）上で使用される。当業者なら以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ｃｄｍａ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。また、これらの概念は、広帯域ＣＤＭＡ（Ｗ−ＣＤＭＡ（登録商標））とＴＤ−ＳＣＤＭＡなどのＣＤＭＡの他の変形形態とを利用するユニバーサル地上波無線アクセス（ＵＴＲＡ）、ＴＤＭＡを利用するモバイル通信用グローバルシステム（ＧＳＭ（登録商標））、ならびに、ＯＦＤＭＡを利用する発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、およびＦｌａｓｈ−ＯＦＤＭにも拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課された全体的な設計制約に依存することになる。
【００２３】
[0030]したがって、１つまたは複数の例示的な実施形態では、記載される機能は、ハードウェア、ソフトウェア、ファームウェア、またはそれらの任意の組合せに実装され得る。ソフトウェアで実装される場合、機能は、コンピュータ可読媒体上に記憶されるか、あるいはコンピュータ可読媒体上に１つもしくは複数の命令またはコードとして符号化され得る。コンピュータ可読媒体はコンピュータ記憶媒体を含む。記憶媒体は、コンピュータによってアクセスされ得る任意の利用可能な媒体であり得る。限定でなく例として、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイス、または所望のプログラムコードを命令またはデータ構造の形式で搬送または記憶するために使用され得、コンピュータによってアクセスされ得る、他の任意の媒体を備え得る。本明細書において使用されるときに、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、およびフロッピー（登録商標）ディスク（disk）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２４】
[0031]図１は、ネットワーク１００を示す図である。ネットワーク１００は、ＬＴＥネットワーク１１５と、ＷＬＡＮネットワーク１５０と、他のネットワーク１３０とを含む。他のネットワーク１３０は、限定はしないが、１つまたは複数のｃｄｍａ２０００、ＷＣＤＭＡおよびＨＳＰＡネットワークを含み得る。ＵＥ１０２は、ネットワーク１１５、１３０、および１５０の各々に接続するように構成され得る。ＬＴＥネットワーク１１５は、発展型パケットシステム（ＥＰＳ：Evolved Packet System）と呼ばれることがある。ＬＴＥネットワーク１１５は、１つまたは複数のユーザ機器（ＵＥ）１０２と、発展型ユニバーサル地上波無線アクセスネットワーク（Ｅ−ＵＴＲＡＮ：Evolved Universal Terrestrial Radio Access Network）１１８と、発展型パケットコア（ＥＰＣ：Evolved Packet Core）１２０と、ホーム加入者サーバ（ＨＳＳ：Home Subscriber Server）１２２と、事業者のＩＰサービス１２４とを含み得る。ＬＴＥネットワーク１１５は他のアクセスネットワークと相互接続することができるが、簡単のために、それらのエンティティ／インターフェースは図示していない。図示のように、ＬＴＥネットワーク１１５は、パケット交換サービスを提供する。しかしながら、本開示全体にわたって提示される様々な概念は、回線交換サービスを提供するネットワークに拡大され得る。
【００２５】
[0032]Ｅ−ＵＴＲＡＮ１１８は、発展型ノードＢ（ｅＮＢ）１１７と他のｅＮＢ（図示せず）とを含むか、またはそれらを用いて動作する。ｅＮＢ１１７は、バックホール（たとえば、Ｘ２インターフェース）を介して他のｅＮＢに接続され得る。ｅＮＢ１１７は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１１７は、ＵＥ１０２にＥＰＣ１２０へのアクセスポイントを与える。
【００２６】
[0033]ｅＮＢ１１７はＳ１インターフェースによってＥＰＣ１２０に接続される。ＥＰＣ１２０は、モビリティ管理エンティティ（ＭＭＥ：Mobility Management Entity）と、他のＭＭＥと、サービングゲートウェイと、パケットデータネットワーク（ＰＤＮ）ゲートウェイとを含む。ＭＭＥは、ＵＥ１０２とＥＰＣ１２０との間のシグナリングを処理する制御ノードである。概して、ＭＭＥはベアラおよび接続管理を行う。すべてのユーザＩＰパケットはサービングゲートウェイを通して転送され、サービングゲートウェイ自体はＰＤＮゲートウェイに接続される。ＰＤＮゲートウェイはＵＥのＩＰアドレス割振りならびに他の機能を提供する。ＰＤＮゲートウェイは、通信事業者のＩＰサービス１２４に接続される。
【００２７】
[0034]再び図１を参照すると、キャリアアグリゲーションは、ＵＥ１０２とｅノードＢ１１７とによって使用され得る技法である。基地局１１７およびＵＥ１０２は、たとえば、最高２０ＭＨｚ帯域幅を有し得るコンポーネントキャリア（ＣＣ）を使用して互いと通信する。１Ｇｂｐｓのデータレートをサポートするために、最高１００ＭＨｚの送信帯域幅が必要とされ得る。キャリアアグリゲーションは、送信のためにＣＣをアグリゲートすることを可能にする技法である。たとえば、２０ＭＨｚ帯域幅の５つのＣＣはそれぞれ、１００ＭＨｚの高帯域幅送信を達成するためにアグリゲートされ得る。アグリゲートされるＣＣは、同じまたは異なる帯域幅を有し得、同じ周波数帯域中の隣接ＣＣまたは非隣接ＣＣであり得、または異なる周波数帯域中のＣＣであり得る。したがって、高帯域幅を達成することに加えて、キャリアアグリゲーションのための別のモチベーションは、断片化されたスペクトルの使用を可能にすることである。
【００２８】
[0035]図１はまた、ＷＬＡＮネットワーク１５０を含む。ＵＥ１０２は、ルータ１５２と接続することによってＷＬＡＮネットワーク１５０にアクセスし得る。ＵＥ１０２は、ＵＥ１０２が、たとえば、インターネットおよび他のリソースなどのワイドエリアネットワークと通信することを可能にするＷｉ−Ｆｉ信号を与えるルータ１５２を介して接続し得る。いくつかの実施形態では、ＵＥ１０２は、Ｗｉ−Ｆｉ信号のみを送信および受信するように構成された専用アンテナを含まないことがある。専用ＷＬＡＮアンテナは、限定はしないが、ＲＦ  ＡＳＩＣ、ＲＦフロントエンドＡＳＩＣ、ＷＬＡＮアンテナおよびＷＬＡＮベースバンドプロセッサなどの複数の構成要素を含み得る。図１〜図７で説明する実施形態では、ＵＥ１０２は、専用ＷＬＡＮアンテナとトランシーバとを有しないことがある。それにもかかわらず、ＵＥ１０２は、ＷＬＡＮネットワーク１５０と通信するためにＷＷＡＮトランシーバのうちの１つまたは複数を使用することによってＷＬＡＮネットワーク１５０と通信し得る。これらの実施形態では、ＵＥ１０２は、他のトランシーバがＷＷＡＮ信号を送信／受信し続ける間に、ＷＬＡＮネットワーク１５０との接続を確立するためにＷＷＡＮ信号を送信／受信するように構成されたトランシーバのうちの１つを再構成し得る。
【００２９】
[0036]様々な利点は、上記の構成を使用することによって実現され得る。ＵＥ１０２は、ＵＥ１０２内のボリュームを占有する専用ＷＬＡＮアンテナとトランシーバとを必要としない。専用ＷＬＡＮアンテナとトランシーバとの欠如はまた、ＵＥ１０２内の構成要素の数を低減する。さらに、ＷＬＡＮネットワーク１５０がアクセス不可能であるとき、専用ＷＬＡＮアンテナとトランシーバとは無関係になり得、ＵＥ１０２中の無関係な構成要素を除去することはコストを低減するのに役立ち得る。
【００３０】
[0037]図２Ａおよび図２Ｂに、ＵＥ１０２の一部であり得るキャリアアグリゲーション動作ＲＦモジュール２００を示す。図２Ａに、キャリアアグリゲーションモードにあるＲＦモジュール２００を示し、一方、図２Ｂに、２つの異なる信号をアグリゲートすることなしにそれらの信号タイプを受信するためのモードにあるＲＦモジュール２００を示す。ＲＦモジュール２００は、他の構成要素の中でも、コントローラ２０１と、ベースバンドプロセッサ２１３と、ラジオ２１７と、ラジオ２２１とを含み得る。コントローラ２０１は、限定はしないが、制御信号経路２０２、制御信号経路２０５、および制御信号経路２０７などの少なくとも３つの制御信号経路を有し得る。
【００３１】
[0038]図２Ａに示すキャリアアグリゲーションモードでは、コントローラ２０１は、第１のタイプの信号を受信するようにラジオ２１７とラジオ２２１とを制御するために、（制御信号経路２０５および制御信号経路２０７）上で制御信号を送り得る。他の実施形態では、ラジオ２１７および２２１は、限定はしないが、ベースバンドプロセッサ２１３またはＵＥ１０２上の別のプロセッサを実行しているＵＥ１０２上のソフトウェアなど、ＵＥ１０２中の別の構成要素によって制御され得る。様々な実施形態では、制御信号経路２０５上の制御信号と制御信号経路２０７上の制御信号とは、第１のタイプの信号を受信するために、ラジオ２１７および２２１内のフィルタを設定する。
【００３２】
[0039]ベースバンドプロセッサ２１３は、コントローラ２０１に、それが第１のタイプの信号を受信していることを通知し得、コントローラ２０１は、ベースバンドプロセッサ２１３に、制御信号経路２０２を介して第１のタイプの信号を受信するようにフィルタが設定されることを通知し得る。図２Ａでは、ベースバンドプロセッサ２１３は、それぞれ、ラジオ２１７およびラジオ２２１から２つの信号を、１つは信号経路２０９上で他方は信号経路２１１上で受信するように構成され得る。図２Ａ中の両方の信号経路２０９および２１１は、第１のタイプの信号（たとえば、ＷＷＡＮ信号）を搬送する。信号経路２０９および２１１から２つの信号を受信した後に、ベースバンドプロセッサ２１３は、キャリアアグリゲーションを実行し得る。たとえば、信号経路２０９上の信号は、５ＭＨｚ幅であり得、信号経路２１１上の信号は、５ＭＨｚ幅であり得る。上記の例では、ベースバンドプロセッサ２１３は、ＵＥ１０２が１０ＭＨｚの信号を受信することを可能にするために信号経路２０９および２１１上の２つの信号をアグリゲートし得る。
【００３３】
[0040]いくつかの実施形態では、キャリアが連続する１０ＭＨｚ帯域を得ることができないことがあるので、ラジオ２１７および２２１は、２つの異なる帯域に同調させられ得る。たとえば、ＬＴＥ信号は、限定はしないが、７００ＭＨｚ、８００ＭＨｚ、１９００ＭＨｚ、２．３ＧＨｚ、および２．６ＧＨｚの帯域を含む、複数の異なる帯域にあり得る。したがって、その例示的な実施形態では、ラジオ２１７は、たとえば、７００ＭＨｚでＬＴＥ信号を受信し得、信号は、５ＭＨｚ幅であり得、一方、ラジオ２２１は、１９００ＭＨｚで別のＬＴＥ信号を受信し、それはやはり５ＭＨｚ幅である。ベースバンドプロセッサ２１３によって実行されるキャリアアグリゲーションにより、キャリアは、ＵＥ１０２に１０ＭＨｚ信号を与えることが可能になる。ＬＴＥ信号について、上記で説明したが、他の信号タイプ（限定はしないが、たとえば、ＷＷＡＮ、ＷＣＤＭＡ）が同様の方法でベースバンドプロセッサ２１３によってアグリゲートされ得る。
【００３４】
[0041]キャリアアグリゲーションモードで動作する間に、ＵＥ１０２は、ＷＬＡＮ信号が利用可能であり、ＵＥ１０２がＷＬＡＮ信号に接続することを選好し得ると決定し得る。概して、ＷＬＡＮ信号は、いくつかの状況では、より速いデータ転送速度とより速いスループットとを与えることができ、ＵＥ１０２のユーザにとってコストがより低くなる。しかしながら、上記で説明したように、ＵＥ１０２は、ＷＬＡＮアンテナおよびトランシーバアセンブリを含む必要はない。
【００３５】
[0042]図２Ｂに、２つの異なるタイプの信号を受信するためのモードにあるＲＦモジュール２００を示す。図２Ｂ中のモジュール２００は、ＲＦモジュール２００が同じく第１の信号タイプ（たとえば、限定はしないがＷＷＡＮ）を受信し続ける間に第２の信号タイプ（たとえば、限定はしないがＷＬＡＮ）を受信するように構成され得る。ＷＬＡＮ信号をルーチン的に走査した後に、ＵＥ１０２は、ＵＥ１０２にとってアクセス可能であるＷＬＡＮ信号を検出し得る。それに応答して、ＵＥ１０２は、ＥＰＣとネゴシエートした後に、ＷＬＡＮ受信モードに切り替えるためにコントローラ２０１に信号を送り得る。ＷＬＡＮ信号を受信すると、コントローラ２０１は、図２Ａにおいてラジオ２１７および２２１が受信していたＷＷＡＮ信号の代わりにＷＬＡＮ信号を受信するようにラジオ２１７または２２１のうちの少なくとも１つのトランシーバが切り替えられ得ると決定する。したがって、この例示的な実施形態では、コントローラ２０１は、ラジオ２１７がＷＬＡＮ信号を受信し始めると決定し得る。
【００３６】
[0043]図２Ｂのモードでは、コントローラ２０１は、ラジオ２１７中のフィルタの特性を変更するために信号経路２０５上で信号を送るように構成されるか、またはコントローラ２０１は、ラジオ２１７がＷＬＡＮ周波数以外の周波数をフィルタ処理して除去することになるようにラジオ２１７中で異なるフィルタを選定し得る。コントローラ２０１はまた、ベースバンドプロセッサ２１３がＷＬＡＮ信号を処理することになるように信号経路２０２上でベースバンドプロセッサ２１３に信号を送り得る。したがって、ベースバンドプロセッサ２１３は、コントローラ２０１から受信された制御信号に基づいてＷＷＡＮ信号とＷＬＡＮ信号との両方を処理するように構成される。ラジオ２１７がＷＬＡＮ信号を受信するように切り替えられるが、ラジオ２２１は、図２ＢにおいてＷＷＡＮ信号を受信し続け得る。さらに、ラジオ２１７およびラジオ２２１が異なるタイプの信号（たとえば、１つのＷＷＡＮ信号と１つのＷＬＡＮ信号と）を受信しているので、ベースバンドプロセスは、それらの信号に対してキャリアアグリゲーションを実行していない。代わりに、ＵＥ１０２は、ラジオ２１７および２２１のうちの１つを使用することによってＷＬＡＮ信号を受信することが可能であり、その各々が、ＷＷＡＮ信号および／またはＷＬＡＮ信号を同時に受信するように構成可能である。
【００３７】
[0044]図３は、図１〜図２Ｂにおいて開示したシステムによって実行され得るワイヤレス通信の方法３００のフローチャートである。方法３００は、（たとえば、図２Ａの場合のように）キャリアアグリゲーションモードで最初に動作しているＵＥ１０２を対象とし、ここで、２つ以上のトランシーバまたはラジオは、同じ信号タイプの２つの異なる周波数に同調させられる。２つ以上のトランシーバによって受信される２つ以上の信号は、図２Ａに関して上記で説明したように、ＵＥ１０２が高いデータ転送速度を実現することを可能にするためにアグリゲートされる。ステップ３０１において、ＵＥ１０２は、第１のラジオと第２のラジオとから受信された（同じ信号タイプの）２つの信号のキャリアアグリゲーションを実行し得る。
【００３８】
[0045]ステップ３０３において、ＵＥ１０２は、第２のタイプの信号がＵＥ１０２にとってアクセス可能であることを検出する。たとえば、ＵＥ１０２は、ＷＬＡＮ信号のための適切な周波数を周期的に走査するように構成され得、ＷＬＡＮ信号を検出すると、ＵＥ１０２はまた、ＵＥ１０２が、ＷＬＡＮ信号を認証し、ＷＬＡＮ信号を受信することが可能であると決定し得る。ＵＥはＥＰＣに、ＷＬＡＮ信号が検出され、ＵＥがＷＬＡＮネットワーク１５０に接続したいと望むことを通知する。他の実施形態では、ＵＥ１０２は、ＷＬＡＮ信号を検出し、ＷＬＡＮ信号のための認証プロセスを始めるためにユーザから入力を受信し得る。
【００３９】
[0046]次に、ステップ３０５において、コントローラ２０１は、他のラジオが第１のタイプの信号を受信し続ける間に第２のタイプの信号を受信するようにＵＥ１０２中のラジオのうちの少なくとも１つを切り替える。図２Ｂに関して上記で説明したように、少なくとも１つのラジオを切り替えることは、ラジオ内のフィルタの特性を変更すること（たとえば、一実施形態では周波数を変更すること）を含む。代替的に、または追加として、図４および図６中で以下でより詳細に説明するように、少なくとも１つのラジオを切り替えることは、ＷＬＡＮ信号がＷＷＡＮ構成要素のうちのいくつかをバイパスすることを可能にする信号経路を作成するために１つまたは複数のスイッチをアクティブ化することを含み得る。
【００４０】
[0047]図４は、ＵＥ１０２において使用され得るトランシーバアセンブリ４００の一例の概略図である。図４は、ダイバーシティ合成を用いるＦＤＤ（周波数分割複信）キャリアアグリゲーショントランシーバの実装形態である。他の実施形態では、ダイバーシティ合成を用いるＴＤＤキャリアアグリゲーショントランシーバは、第２の信号を送信／受信するように変更され得る。ＴＤＤキャリアアグリゲーショントランシーバ中のフィルタのうちの１つは、第２のタイプの信号に関連する周波数を受信するように制御され得、トランシーバ内の他の構成要素は、第１のタイプの信号または第２のタイプの信号のいずれかを処理するように構成され得る。図４に、ダイバーシティ合成を用いて動作する合成ＷＷＡＮおよびＷＬＡＮトランシーバアセンブリ４００を示す。トランシーバアセンブリ４００は、図２Ａおよび図２Ｂに示したラジオなどの２つのラジオを有する。トランシーバアセンブリ４００中の第１のラジオは、トランシーバ４０１Ａおよび４６０Ａの組合せである。トランシーバアセンブリ４００中の第２のラジオは、トランシーバ４０１Ｂおよび４６０Ｂの組合せである。図４に示すように、トランシーバ４６０Ａおよびトランシーバ４６０Ｂは、ダイバーシティトランシーバとして使用される。たとえば、トランシーバ４０１Ａは、１次トランシーバであり得、トランシーバ４６０Ａは、ダイバーシティトランシーバであり得、トランシーバ４０１Ａおよび４６０Ａの両方は、１つのラジオを形成する。同様に、トランシーバ４０１Ｂは、１次トランシーバであり得、トランシーバ４６０Ｂは、ダイバーシティトランシーバであり得、トランシーバ４０１Ｂおよび４６０Ｂの両方は、１つのラジオを形成する。ダイバーシティ構成を与えるために使用されるアンテナまたはラジオは、同じ物理的なハウジング中にある、および／または同じロケーションの２つの別個であるが等しいアンテナを含み得る。ダイバーシティアンテナは、ラジオからおよび互いに物理的に分離され得、したがって、一方は、もう一方より遭遇するマルチパス伝搬効果が少なくなる。
【００４１】
[0048]図４では、図を簡略化するために、限定はしないが、ＡＧＣ（自動利得制御）、Ａ／Ｄ（アナログデジタル変換器）、Ｄ／Ａ（デジタルアナログ変換器）、デジタルフィルタ、および様々な他の構成要素などの他の構成要素を図示していない。上述の構成要素および様々な他の構成要素は、トランシーバアセンブリの一部であり得る。たとえば、トランシーバの受信部分において、フィルタは、ミキサ／ローカル発振器に信号を出力するために接続される低雑音増幅器に信号を出力するために接続され得る。ミキサ／局部発振器は、信号をダウンコンバートし得、ベースバンドプロセッサに信号を出力するために接続される。同様に、トランシーバの送信部分において、ベースバンドプロセッサは、信号をアップコンバートするミキサ／ローカル発振器に信号を出力するために接続され得る。ミキサ／局部発振器は、フィルタに信号を出力するために接続される電力増幅器に信号を出力するために接続される。いくつかの実施形態では、ＷＷＡＮ信号とＷＬＡＮ信号との両方を処理することが可能であるフロントエンド構成要素は、本明細書の図２Ａ、図２Ｂ、図４、図６、図８および図１０中で説明するトランシーバアセンブリの一部となるであろう。
【００４２】
[0049]再び図４を参照すると、トランシーバアセンブリ４００は、電子的構成要素の中でも、トランシーバ４０１Ａと、トランシーバ４０１Ｂと、ベースバンドプロセッサ４５０と、トランシーバ４６０Ａと、トランシーバ４６０Ｂと、コントローラ４１０とを含む。トランシーバアセンブリ４００は、図示していない複数の他の電気的構成要素を含み得る。上記で説明したように、トランシーバ４０１Ａおよび４６０Ａは、第１のラジオを構成し、一方、トランシーバ４０１Ｂおよび４６０Ｂは、第２のラジオを構成する。いくつかの実施形態では、各トランシーバ内の回路は同一である。しかしながら、他の実施形態では、トランシーバ４０１Ａおよび４６０Ｂは、トランシーバ４０１Ｂおよび４６０Ｂによって受信される制御信号のセットと比較して、コントローラ４１０から制御信号の異なるセットを受信するように構成され得る。
【００４３】
[0050]トランシーバ４０１Ａおよび４０１Ｂの各々は、限定はしないが、アンテナ４０２Ａおよび４０２Ｃ、ＷＷＡＮ／ＷＬＡＮスイッチ４０３Ａおよび４０３Ｃ、デュプレクサ４０４Ａおよび４０４Ｃ、ＴＤＤスイッチ４０５Ａおよび４０５Ｃ、スイッチ４０６Ａおよび４０６Ｃ、スイッチ４０７Ａおよび４０７Ｃ、フィルタ４０８Ａおよび４０８Ｃ、フィルタ４０９Ａおよび４０９Ｃ、ＬＮＡ（低雑音増幅器）４１０Ａ、ＬＮＡ４１０Ｃ、ＰＡ（電力増幅器）４１１Ａ、ＰＡ４１１Ｃ、ミキサ／ＬＯ４１２Ａ、ミキサ／ＬＯ４１２Ｃ、ミキサ／ＬＯ４１３Ａならびにミキサ／ＬＯ４１３Ｃなどの複数の構成要素を備える。上記でより詳細に説明したように、トランシーバ４０１Ａおよび４０１Ｂはまた、２つの異なるタイプの信号を扱うように構成された他の構成要素を含み得る。
【００４４】
[0051]アンテナ４０２Ａ、４０２Ｂ、４０２Ｃ、および４０２Ｄは、様々なタイプのワイヤレス信号を送信または受信するように構成される。アンテナ４０２Ａ、４０２Ｂ、４０２Ｃ、および４０２Ｄは、それぞれ、信号経路４４１Ａ、４４１Ｂ、４４１Ｃ、および４４１Ｄとの間で信号を送信または受信し得る。いくつかの実施形態では、アンテナ４０２Ａ、４０２Ｂ、４０２Ｃ、および４０２Ｄは、ＷＷＡＮ信号およびＷＬＡＮ信号を送信／受信するように構成され得る。いくつかの実施形態では、ダイバーシティアンテナ４０２Ｂは、ＵＥ１０２内のアンテナ４０２Ａから離れて好適な距離に配置されるかまたはそれから離れて分離され得る。同様に、いくつかの実施形態では、ダイバーシティアンテナ４０２Ｄは、ＵＥ１０２内のアンテナ４０２Ｃから離れて配置され得る。
【００４５】
[0052]いくつかの実施形態では、ＷＷＡＮ／ＷＬＡＮスイッチ４０３Ａ、４０３Ｂ、４０３Ｃ、および４０３Ｄは、単極双投スイッチであり得る。他の実施形態では、ＷＷＡＮ／ＷＬＡＮスイッチ４０３Ａ、４０３Ｂ、４０３Ｃ、および４０３Ｄは、異なるタイプのスイッチまたはスイッチング機構であり得る。ＷＷＡＮ／ＷＬＡＮスイッチ４０３Ａ、４０３Ｂ、４０３Ｃ、および４０３Ｄは、１つの極を２つのスローのうちのいずれか１つに接続する任意のタイプのスイッチング回路によって実装され得る。図４中に示すように、スイッチごとに単一の極がそれのそれぞれのアンテナに接続され得る。各スイッチの第１のスローは、ＷＷＡＮ信号のためのデュプレクサ４０４Ａ、４０４Ｂ、４０４Ｃおよび４０４Ｄに接続され得る。各スイッチの第２のスローは、ＷＬＡＮ信号のためのＴＤＤスイッチ４０５Ａ、４０５Ｂ、４０５Ｃ、および４０５Ｄに接続され得る。ＷＷＡＮ／ＷＬＡＮスイッチ４０３Ａ、４０３Ｂ、４０３Ｃ、および４０３Ｄの各々は、それぞれの制御信号４２０Ｅまたは４２１Ｅのうちの１つによって制御され得る。コントローラ４１０が、ＷＷＡＮ／ＷＬＡＮスイッチ４０３Ａおよび４０３Ｂに制御信号４２０Ｅを送ると、ＷＷＡＮ／ＷＬＡＮスイッチ４０３Ａおよび４０３Ｂは、第１のスロー（たとえばデュプレクサ４０４Ａ）から第２のスロー（たとえば、ＴＤＤスイッチ４０５Ａ）に切り替わる。コントローラ４１０は、ＷＷＡＮ信号またはＷＬＡＮ信号のいずれかを送信／受信するために関連するラジオのうちの１つを使用するために、ＷＷＡＮ／ＷＬＡＮスイッチ４０３Ａおよび４０３ＢにまたはＷＷＡＮ／ＷＬＡＮスイッチ４０３Ｃおよび４０３Ｄに信号を送り得る。
【００４６】
[0053]ＷＷＡＮ／ＷＬＡＮスイッチ４０３Ａは、信号経路４４１Ａを介してアンテナ４０２Ａから信号を送信または受信し得る。いくつかの実施形態では、制御信号４２０Ｅに応じて、ＷＷＡＮ／ＷＬＡＮスイッチ４０３Ａは、ＷＷＡＮ信号またはＷＬＡＮ信号のいずれかを送信または受信し得る。ＷＷＡＮ／ＷＬＡＮスイッチ４０３ＡがＷＷＡＮ信号を受信するとき、信号は、信号経路４３８Ａを介してデュプレクサ４０４Ａに送信される。他の実施形態では、ＷＷＡＮ信号は、デュプレクサ４０４Ａから信号経路４３８Ａを通してＷＷＡＮ／ＷＬＡＮスイッチ４０３Ａに、そしてＷＷＡＮ／ＷＬＡＮスイッチ４０３Ａからアンテナ４０２Ａに送信され得る。
【００４７】
[0054]いくつかの実施形態では、制御信号４２０Ｅは、ＷＬＡＮ信号を受信または送信するようにＷＷＡＮ／ＷＬＡＮスイッチ４０３Ａを切り替える。ＷＬＡＮ信号は、信号経路４４１Ａを介してアンテナ４０２Ａとの間で送信または受信され得る。ＷＬＡＮ信号を受信した後に、スイッチＷＷＡＮ／ＷＬＡＮ４０３Ａは、ＴＤＤスイッチ４０５ＡにＷＬＡＮ信号を送る。ＷＬＡＮ信号は、ＷＬＡＮ信号がＴＤＤスイッチ４０５から受信された後にＷＷＡＮ／ＷＬＡＮスイッチ４０３Ａによって送信され得る。さらに、送信のためにＷＬＡＮ信号を受信した後に、ＷＷＡＮ／ＷＬＡＮスイッチ４０３Ａは、信号経路４４１Ａを介してアンテナ４０２Ａに信号を与える。
【００４８】
[0055]デュプレクサ４０４Ａは、ＷＷＡＮ信号を受信するためのスイッチ４０６Ａに接続され、デュプレクサ４０４Ａは、ＷＷＡＮ信号を送信するためのスイッチ４０７Ａに接続される。デュプレクサ４０４Ａは、信号経路４３７Ａを通してスイッチ４０７Ａから信号を受信し得、デュプレクサ４０４Ａは、信号経路４３４Ａを通してスイッチ４０６Ａに信号を送り得る。デュプレクサ４０４Ａと同様に、デュプレクサ４０４Ｂ、４０４Ｃ、および４０４Ｄは、それぞれ、スイッチ４０６Ｂ、４０６Ｃ、および４０６Ｄに接続され、デュプレクサ４０４Ｂ、４０４Ｃ、および４０４Ｄは、それぞれ、スイッチ４０７Ｂ、４０７Ｃ、および４０７Ｄに接続される。デュプレクサ４０４Ｂ、４０４Ｃ、および４０４Ｄは、それぞれ、信号経路４３４Ｂ、４３４Ｃ、および４３４Ｄを通してスイッチ４０６Ｂ、４０６Ｃ、および４０６Ｄに信号を送り得る。様々な実施形態では、１つまたは複数のトランシーバ４０１Ａ、４０１Ｂ、４６０Ａ、および４６０ＢがＷＷＡＮ信号を送信または受信しているときに信号を送信または受信するために、１つまたは複数のデュプレクサ４０４Ａ、４０４Ｂ、４０４Ｃおよび４０４Ｄが使用される。他の実施形態では、１つまたは複数のトランシーバ４０１Ａ、４０１Ｂ、４６０Ａ、および４６０ＢがＷＬＡＮ信号を送信または受信しているときに信号を送信または受信するために、１つまたは複数のＴＤＤスイッチ４０５Ａ、４０５Ｂ、４０５Ｃ、および４０５Ｄが使用される。
【００４９】
[0056]ＴＤＤスイッチ４０５Ａ、４０５Ｂ、４０５Ｃ、および４０５Ｄは、時分割複信で動作し、したがって、アップリンクが、同じ周波数帯域中での異なるタイムスロットの割当てによってダウンリンクから分離される。いくつかの実施形態では、トランシーバ４０１Ａ、４０１Ｂ、４６０Ａ、および４６０ＢがＷＬＡＮ信号を送信または受信するように構成されるとき、ＷＬＡＮ信号を処理するためにＴＤＤスイッチ４０５Ａ、４０５Ｂ、４０５Ｃ、および４０５Ｄが使用される。様々な実施形態では、ＴＤＤスイッチ４０５Ａ、４０５Ｂ、４０５Ｃ、および４０５Ｄは、単極双投スイッチである。
【００５０】
[0057]様々な実施形態では、スイッチ４０６Ａは、単極双投スイッチであり得る。スイッチ４０６Ａの極は、信号経路４３２Ａを介してスイッチ４０６Ａに接続されるフィルタ４０８Ａに接続される。スイッチ４０６Ａの第１のスローは、信号経路４３４Ａを介してデュプレクサ４０４Ａから接続される。スイッチ４０６Ａの第２のスローは、信号経路４３８Ａを介してＴＤＤスイッチ４０５Ａから接続される。スイッチ４０６Ａは、コントローラ４１０から制御信号４２０Ｃを受信し得る。スイッチ４０６Ｂは、トランシーバ４６０Ａ中の同様の構成要素にスイッチ４０６Ａと同様の方法で接続され得る。たとえば、スイッチ４０６Ｂは、信号経路４３４Ｂおよび４３８Ｂ、制御信号経路４２０上で信号を受信し、信号経路４３２Ｂ上で信号を送信し得る。
【００５１】
[0058]トランシーバ４０１Ｂのスイッチ４０６Ｃは、信号経路４３２Ｃを介してフィルタ４０８Ｃに１つまたは複数の信号を送り、コントローラ４１０から制御信号４２１Ｃを受信し得る。制御信号４２１Ｃは、スイッチ４０６Ｃが極にどのスローを接続するかを決定する。スイッチ４０６Ｃは、信号経路４３８Ｃおよび信号経路４３４Ｃ上で信号を受信し得る。同様に、スイッチ４０６Ｄは、信号４３４Ｄと制御信号４２１Ｃとを受信する。スイッチ４０６Ｄは、信号経路４３２Ｄを介してフィルタ４０８Ｄに信号を送る。またスイッチ４０６Ｄは、信号経路４３８Ｄを介してＴＤＤスイッチ４０５Ｄから信号を受信する。制御信号４２１Ａ、４２１Ｂ、４２１Ｃ、および４２１Ｄは、スイッチ４０６Ａ、４０６Ｂ、４０６Ｂ、および４０６Ｄによって極に接続されるスローを決定する。
【００５２】
[0059]様々な実施形態では、スイッチ４０７Ａは、単極双投スイッチであり得る。スイッチ４０７Ａの極は、信号経路４３３Ａを介してスイッチ４０７Ａに接続されるフィルタ４０９Ａに接続される。スイッチ４０７Ａの第１のスローは、信号経路４３７Ａを介してデュプレクサ４０４Ａに接続される。スイッチ４０７Ａの第２のスローは、信号経路４３５Ａを介してＴＤＤスイッチ４０５Ａに接続される。スイッチ４０７Ａはまた、コントローラ４１０から制御信号４２０Ｄを受信し得る。スイッチ４０７Ｂは、トランシーバ４６０Ａ中の同様の構成要素にスイッチ４０７Ａと同様の方法で接続され得る。たとえば、スイッチ４０７Ｂは、信号経路４３３Ａ、制御信号経路４２０Ｄ上で信号を受信し、信号経路４３５Ｂおよび４３７Ｂ上で信号を送信し得る。
【００５３】
[0060]トランシーバ４０１Ｂのスイッチ４０７Ｃは、信号経路４３３Ｃを介してフィルタ４０９Ｃから信号を受信し、コントローラ４１０から制御信号４２１Ｄを受信し得る。スイッチ４０７Ｃは、信号経路４３７Ｃおよび信号経路４３５Ｃ上で信号を送り得る。同様に、スイッチ４０７Ｄは、信号４３３Ｄと制御信号４２１Ｄとを受信する。スイッチ４０７Ｄは、信号経路４３７Ｄを介してデュプレクサ４０４Ｄに、信号経路４３５Ｄを介してＴＤＤスイッチ４０５Ｄに信号を送り得る。
【００５４】
[0061]フィルタ４０８Ａは、様々な中心周波数にあり、ある帯域幅をもつ信号を処理することを可能にするように構成された１つまたは複数のフィルタ（たとえば、複数のフィルタのバンク）を備え得る。様々な実施形態では、フィルタ４０８Ａは、他の信号（たとえば、ジャミングまたは干渉信号）を除去し得る。フィルタ４０８Ａは、信号経路４３２Ａを介してスイッチ４０６Ａから信号を受信し、制御信号４２０Ａを受信し得る。フィルタ４０８Ａは、受信された信号を処理し、ベースバンドプロセッサ４５０に対して信号経路４３０Ａを介して信号を送り得る。上述のように、フィルタ４０８Ａとベースバンドプロセッサ４５０との間に他の電気的構成要素があり得る。電気的構成要素は、ミキサ／ＬＯ４１２Ａ、ＬＮＡ４１０Ａ、ダウンコンバータなどを含み得る。フィルタ４０８Ａは、コントローラ４１０から制御信号４２０Ａを受信し得る。制御信号４２０Ａは、第１のタイプの信号を受信することから第２のタイプの信号を受信することを行うようにトランシーバ４０１Ａを切り替えるために、フィルタ４０８Ａ中のフィルタのバンク内のフィルタを選択し得る。制御信号４２０Ａはまた、第２のタイプの信号が利用不可能であるかまたは検出されないとき、第１のタイプの信号を受信し処理することに切り替えて戻るようにフィルタ４０８Ａを制御し得る。他の実施形態では、制御信号４２０Ａは、フィルタ４０８Ａの特性（中心周波数、帯域幅、振幅および位相応答など）を変更し得る。
【００５５】
[0062]フィルタ４０９Ａは、信号経路４３１Ａ、ミキサ／ＬＯ４１３ＡおよびＰＡ４１１Ａを介してベースバンドプロセッサ４５０から信号を受信し得る。フィルタ４０９Ａは、コントローラ４１０から制御信号４２０Ｂを受信し得る。制御信号４２０Ｂは、スイッチ４０７Ａにフィルタ処理された信号を送るようにフィルタ４０９Ａを構成し得る。フィルタ４０９Ａは、複数のフィルタのバンクを備え得、制御信号は、フィルタ４０９Ａ内のフィルタのうちの１つを選択し得る。フィルタ４０９Ｂは、信号４３１Ｂと制御信号４２０Ｂとを受信し得る。フィルタ４０９Ｂは、スイッチ４０７Ｂに信号経路４３３Ｂを介して送信されるべき信号を与え得る。フィルタ４０９Ｃは、信号４３１Ｃと制御信号４２１Ｂとを受信し得、それに応答して、スイッチ４０７Ｃに信号経路４３３Ｃを介して送信されるべき信号を与え得る。フィルタ４０９Ｃは、信号４３１Ｄと制御信号４２１Ｂとを受信し得る。フィルタ４０９Ｄは、スイッチ４０７Ｄに信号経路４３３Ｄを介して送信されるべき信号を与え得る。他の実施形態では、制御信号４２０Ｂは、フィルタ４０９Ａの特性（中心周波数、帯域幅、振幅および位相応答など）を変更し得る。
【００５６】
[0063]ＬＮＡ４１０Ａは、フィルタ４０８Ａから信号を受信する。ＬＮＡ４１０Ａは、受信された信号を増幅する低雑音増幅器である。いくつかの実施形態では、ＬＮＡ４１０Ａは、トランシーバ４０１Ａ中の他の構成要素からの信号に注入されていることがある雑音の効果を補償する。様々な実施形態では、ＬＮＡ４１０Ａは、異なるタイプの信号を受信し増幅するように構成され得る。たとえば、ＬＮＡ４１０Ａは、フィルタ４０８Ａによってフィルタ処理された信号のタイプに基づいて、第１のタイプの信号（たとえば、ＷＷＡＮ）または第２のタイプの信号（たとえば、ＷＬＡＮ）を受信し得る。いくつかの実施形態では、フィルタ４０８Ａからの信号は、どのタイプの信号が処理されているのかをＬＮＡ４１０Ａに通知し得、ＬＮＡ４１０Ａは、受信されているそのタイプの信号を増幅するようにそれの増幅特性を調整し得る。様々な実施形態では、ＬＮＡ４１０Ａは、処理されている信号のタイプに関してＬＮＡ４１０Ａに通知する、コントローラ４１０からの制御信号を受信し得る。ＬＮＡ４１０Ｂ、ＬＮＡ４１０Ｃ、およびＬＮＡ４１０Ｄはそれぞれ、それぞれ、フィルタ４０８Ｂ、４０８Ｃ、および４０８Ｄから信号を受信する。ＬＮＡ４１０Ｂ、ＬＮＡ４１０ＣおよびＬＮＡ４１０Ｄはそれぞれ、ＬＮＡ４１０Ａと同様の機能を実行する。様々な実施形態では、ＬＮＡ４１０Ｂは、フィルタ４０８Ｂから信号を受信し、ミキサ／ＬＯ４１２Ｂに信号を送る。ＬＮＡ４１０Ｃは、フィルタ４０８Ｃから信号を受信し、ミキサ／ＬＯ４１２Ｃに信号を送る。ＬＮＡ４１０Ｄは、フィルタ４０８Ｄから信号を受信し、ミキサ／ＬＯ４１２Ｄに信号を送る。ＰＡ４１１Ａは、ミキサ／ＬＯ４１３Ａから信号を受信し得る。ＰＡ４１１Ａは、ミキサ／ＬＯ４１３Ａから受信された信号を増幅するために使用される低雑音増幅器であり得る。ＰＡ４１１Ａは、フィルタ４０９Ａに増幅された信号を送信する。様々な実施形態では、ＰＡ４１１Ａは、異なるタイプの信号を受信し増幅するように構成され得る。たとえば、ＰＡ４１１Ａは、ミキサ／ＬＯ４１３Ａによって送られた信号のタイプに基づいて、第１のタイプの信号（たとえば、ＷＷＡＮ）または第２のタイプの信号（たとえば、ＷＬＡＮ）を受信し得る。いくつかの実施形態では、ミキサ／ＬＯ４１３Ａからの信号は、どのタイプの信号が処理されているのかをＰＡ４１１Ａに通知し得、ＬＮＡ４１１Ａは、受信されたそのタイプの信号を増幅するようにそれの増幅特性を調整し得る。様々な実施形態では、ＰＡ４１１Ａは、処理されている信号のタイプに関してＰＡ４１１Ａに通知する、コントローラ４１０からの制御信号を受信し得る。ＰＡ４１１Ｂ、ＰＡ４１１Ｃ、およびＰＡ４１１Ｄはそれぞれ、それぞれ、ミキサ／ＬＯ４１３Ｂ、４１３Ｃ、および４１３Ｄから信号を受信する。ＰＡ４１１Ｂ、ＰＡ４１１ＣおよびＰＡ４１１Ｄはそれぞれ、ＰＡ４１１Ａと同様の機能を実行する。様々な実施形態では、ＰＡ４１１Ｂは、ミキサ／ＬＯ４１３Ｂから信号を受信し、フィルタ４０９Ｂに信号を送る。様々な実施形態では、ＬＮＡ４１１Ｃは、ミキサ／ＬＯ４１３Ｃから信号を受信し、フィルタ４０９Ｃに信号を送る。様々な実施形態では、ＬＮＡ４１１Ｄは、ミキサ／ＬＯ４１３Ｄから信号を受信し、フィルタ４０９Ｄに信号を送る。
【００５７】
[0064]ミキサ／ＬＯ４１２Ａは、ＬＮＡ４１０ＡからのＲＦ信号をダウンコンバートし、ベースバンドプロセッサ４５０にＲＦ信号を送る。ミキサ／ＬＯ４１２Ａは、以下で詳細に説明する（限定はしないが、デュアルモード動作などの）マルチモード動作のために構成され得る。ミキサデバイスは、異なる通信規格およびプロトコルに適応するように（動作モードを変更することによって）選択的に適応することができる。ミキサ／ＬＯ４１２Ａは、ＬＮＡ４１０Ａからの出力を局部発振器（ＬＯ）からの出力と混合し、ダウンコンバートする。様々な実施形態では、制御信号４２０Ａは、ミキサ／ＬＯ４１２Ａに与えられ得る。コントローラ４１０からの制御信号は、ミキサ／ＬＯ４１２Ａ内の適切なローカル発振周波数またはミキサ特性を選定し得る。ミキサ／ＬＯ４１２Ａは、複数の異なるタイプの信号を混合し、複数の異なるタイプの信号をダウンコンバートするように構成され得る。たとえば、ミキサ／ＬＯ４１２Ａは、特定の時間期間内にＷＷＡＮ信号を処理し得る。別の時間期間中に、ミキサ／ＬＯ４１２Ａは、ＷＬＡＮ信号を処理し得る。処理されている信号のタイプに関する決定は、トランシーバ４０１Ａの動作可能なモードに依存し得る。ミキサ／ＬＯ４１２Ｂ、ミキサ／ＬＯ４１２Ｃ、およびミキサ／ＬＯ４１２Ｄは、ミキサ／ＬＯ４１２Ａと同様の方法で動作し得る（すなわち、受信された信号を混合し、ダウンコンバートする）。いくつかの実施形態では、ミキサ／ＬＯ４１２Ｃおよびミキサ／ＬＯ４１２Ｄは、ミキサ／ＬＯ４１２Ａおよびミキサ／ＬＯ４１２Ｂとは異なるタイプの信号を受信し得る。ミキサ／ＬＯ４１２Ｂは、ＬＮＡ４１０Ｂからの信号をダウンコンバートし、ベースバンドプロセッサ４５０に信号を送り得る。ミキサ／ＬＯ４１２Ｃは、ＬＮＡ４１０Ｃからの信号をダウンコンバートし、ベースバンドプロセッサ４５０に信号を送り得る。ミキサ／ＬＯ４１２Ｄは、ＬＮＡ４１０Ｄからの信号をダウンコンバートし、ベースバンドプロセッサ４５０に信号を送り得る。
【００５８】
[0065]ミキサ／ＬＯ４１３Ａは、ベースバンドプロセッサ４５０からの信号をアップコンバートし、ＰＡ４１１Ａにアップコンバートされた信号を送る。ミキサ／ＬＯ４１３Ａは、以下で詳細に説明する（限定はしないが、デュアルモード動作などの）マルチモード動作のために構成され得る。ミキサ／ＬＯ４１３Ａは、異なる通信規格およびプロトコル（たとえば、ＷＷＡＮまたはＷＬＡＮ）に適応するように（動作モードを変更することによって）選択的に適応することができる。ミキサ／ＬＯ４１３Ａは、ベースバンドプロセッサ４５０からの出力を局部発振器（ＬＯ）からの出力と混合し、アップコンバートする。様々な実施形態では、制御信号４２０Ｂは、ミキサ／ＬＯ４１３Ａに与えられ得る。コントローラ４１０からの制御信号は、受信された信号を処理するためにミキサ／ＬＯ４１３Ａ内の適切なローカル発振周波数またはミキサ特性を選定し得る。ミキサ／ＬＯ４１３Ａは、複数の異なるタイプの信号を混合し、アップコンバートするように構成され得る。たとえば、ミキサ／ＬＯ４１３Ａは、ある時間期間内にＷＷＡＮ信号を処理し得る。別の時間期間中に、ミキサ／ＬＯ４１３Ａは、ＷＬＡＮ信号を処理し得る。処理される信号のタイプの決定は、トランシーバ４０１Ａの動作可能なモードに依存し得る。ミキサ／ＬＯ４１３Ｂ、ミキサ／ＬＯ４１３Ｃ、およびミキサ／ＬＯ４１３Ｄは、ミキサ／ＬＯ４１２Ａと同様の方法で動作し得る。ミキサ／ＬＯ４１３Ｂは、ベースバンドプロセッサ４５０からの信号をアップコンバートし、ＰＡ４１１Ｂに信号を送り得る。ミキサ／ＬＯ４１３Ｃは、ベースバンドプロセッサ４５０からの信号をアップコンバートし、ＰＡ４１１Ｃに信号を送り得る。ミキサ／ＬＯ４１３Ｄは、ベースバンドプロセッサ４５０からの信号をアップコンバートし、ＰＡ４１１Ｄに信号を送り得る。
【００５９】
[0066]コントローラ４１０は、信号経路４２２を介してベースバンドプロセッサ４５０との間で信号を送信および受信し得る。コントローラ４１０は、トランシーバ４０１Ａ、４０１Ｂ、４６０Ａ、および４６０Ｂの様々な構成要素を制御する制御信号４２０Ａ、４２０Ｂ、４２０Ｃ、４２０Ｄ、４２０Ｅ、４２１Ａ、４２１Ｂ、４２１Ｃ、４２１Ｄ、および４２１Ｅを与える。コントローラ４１０からの制御信号は、トランシーバが以前に受信していた第１のタイプの信号とは異なる第２のタイプの信号を受信するための少なくとも１つの信号経路を作成するようにトランシーバを制御する。
【００６０】
[0067]ベースバンドプロセッサ４５０は、アナログ信号をデジタル信号に、デジタル信号をアナログ信号に変換し得る。ベースバンドプロセッサ４５０は、信号処理を実行するように構成され、信号生成、変調、符号化、周波数シフト、デジタルフィルタ処理、および信号送信などの無線制御機能を管理し得る。様々な実施形態では、ベースバンドプロセッサ４５０は、図面を簡略化するためにここでは図示しないＩＦＦＴ（逆高速フーリエ変換）と、Ｄ／Ａ（デジタルアナログ変換器）と、Ａ／Ｄ（アナログデジタル変換器）とを含み得る。ベースバンドプロセッサ４５０は、図４に示すように、信号経路４２２上でコントローラ４１０から信号を受信し、それぞれ、信号経路４３０Ａ、４３０Ｂ、４３０Ｃ、および４３０Ｄを介してフィルタ４０８Ａ、４０８Ｂ、４０８Ｃ、および４０８Ｄから信号を受信するように構成される。ベースバンドプロセッサ４５０は、信号経路４３１Ａ、４３１Ｂ、４３１Ｃ、および４３１Ｄを使用してフィルタ４０９Ａ、４０９Ｂ、４０９Ｃ、および４０９Ｄに信号を送るように構成される。いくつかの実施形態では、ベースバンドプロセッサ４５０は、ＷＷＡＮ信号および／またはＷＬＡＮ信号の両方を受信し、処理するように構成される。他の実施形態では、ベースバンドプロセッサ４５０は、各トランシーバ４０１Ａ、４０１Ｂ、４６０Ａ、および４６０ＢからＷＷＡＮ信号を送信／受信し得る。他の実施形態では、ベースバンドプロセッサ４５０は、トランシーバ４０１Ｂおよび４６０Ｂが第２のまたは異なるタイプの信号を送信／受信する間に、トランシーバ４０１Ａおよび４６０Ａから第１のタイプの信号を送信／受信し得る。例示的な実施形態では、第１のタイプの信号はＷＷＡＮ信号であり、第２のタイプの信号はＷＬＡＮ信号である。ベースバンドプロセッサ４５０は、両方のタイプの信号を同時に処理するように構成され得る。他の実施形態では、ベースバンドプロセッサ４５０は、トランシーバ４０１Ｂおよび４６０ＢがＷＬＡＮ信号を送信／受信し得る間に、トランシーバ４０１Ａおよび４６０Ａとの間でＷＷＡＮ信号を送信／受信し得る。様々な実施形態では、ベースバンドプロセッサ４５０は、コントローラ４１０から受信された入力に基づいてどの信号タイプを処理すべきかを決定し得る。他の実施形態では、ベースバンドプロセッサ４５０は、ＵＥ１０２がアクセス可能なＷＬＡＮ信号を検出したので、ベースバンドプロセッサ４５０がＷＬＡＮ信号を受信し処理すべきであるとの信号をＵＥ１０２から受信し得る。ベースバンドプロセッサ４５０は、ベースバンドプロセッサ４５０との間でＷＬＡＮ信号を送信／受信するようにトランシーバを制御するためにトランシーバのうちの少なくとも１つに制御信号を送るようにコントローラ４１０に通知するために信号経路４２２上で信号を送り得る。
【００６１】
[0068]図５は、図４中のシステムによって実施され得るワイヤレス通信の方法のフローチャートである。他の実施形態では、図５中の方法のフローチャートは、図１〜図２Ｂ中のシステムによって実施され得る。いくつかの実施形態では、ラジオは、トランシーバ４０１Ｂおよび４６０Ｂが第２のラジオを作る間に少なくとも２つのアンテナトランシーバ、すなわち、第１のラジオからのトランシーバ４０１Ａおよび４６０Ａから成り立ち得る。２つのトランシーバをもつラジオは、１つのトランシーバ（すなわち４０１Ａまたは４０１Ｂ）を１次トランシーバとして使用し、他のトランシーバ（すなわち４６０Ａまたは４６０Ｂ）をダイバーシティトランシーバとして使用し得る。ステップ５０１において、トランシーバ４０１Ａおよび４６０Ａ（第１のラジオ）は、第１のタイプのワイヤレス信号を受信し、トランシーバ４０１Ｂおよび４６０Ｂ（第２のラジオ）はまた、第１のタイプのワイヤレス信号を受信する。ベースバンドプロセッサ４５０は、ステップ５０３において、第１のラジオからの信号を第２のラジオからの信号とアグリゲートする。たとえば、ラジオおよびベースバンドプロセッサ４５０は、ＵＥ１０２が第１のラジオまたは第２のラジオのいずれかによって受信された帯域幅よりも大きい帯域幅を受信するようにキャリアアグリゲーションを実行するように構成され得る。
【００６２】
[0069]特に、ＵＥ１０２がキャリアアグリゲーションモードにあるとき、トランシーバ４０１Ａ、４０１Ｂ、４６０Ａ、および４６０Ｂからの信号は、ベースバンドプロセッサ４５０によってアグリゲートされる。さらに、制御信号４２０Ａ、４２０Ｂ、４２１Ａ、および４２１Ｂにより、コントローラ４１０は、フィルタ４０８Ａ〜４０８Ｄおよび４０９Ａ〜４０９Ｄ中のフィルタのバンク内の適切なフィルタを選択することが可能になる。様々な実施形態では、フィルタ４０８Ａ、４０８Ｂ、４０９Ａおよび４０９Ｂの中心周波数は、互いに等しくなり得る。様々な実施形態では、フィルタ４０８Ｃ、４０８Ｄ、４０９Ｃ、および４０９Ｄの中心周波数は、互いに等しくなり得る。様々な実施形態では、各フィルタ４０８Ａ〜４０８Ｄおよび４０９Ａ〜４０９Ｄの帯域幅はまた、互いに等しくなり得る。
【００６３】
[0070]キャリアアグリゲーションモードでは、コントローラからの制御信号により、トランシーバは、デュプレクサ４０４Ａ〜４０４Ｄを使用することが可能になる。制御信号４２０Ｃは、スイッチ４０６Ａがデュプレクサ４０４Ａから信号を受信することを可能にするように構成され得る。制御信号４２０Ｄは、スイッチ４０７Ａがデュプレクサ４０４Ａに信号を送ることを可能にするように構成され得る。制御信号４２０Ｃは、スイッチ４０６Ｂがデュプレクサ４０４Ｂから信号を受信することを可能にするように構成され得る。制御信号４２０Ｄは、スイッチ４０７Ｂがデュプレクサ４０４Ｂに信号を送ることを可能にするように構成され得る。制御信号４２１Ｃは、スイッチ４０６Ｃがデュプレクサ４０４Ｃから信号を受信することを可能にするように構成され得る。制御信号４２１Ｄは、スイッチ４０７Ｃがデュプレクサ４０４Ｃに信号を送ることを可能にするように構成され得る。制御信号４２１Ｄは、スイッチ４０７Ｄがデュプレクサ４０４Ｄに信号を送ることを可能にするように構成され得る。制御信号４２０Ｅおよび４２１Ｅは、ＷＷＡＮ／ＷＬＡＮスイッチ４０３Ａ〜４０３ＤがＷＷＡＮ信号を送信および受信することを可能にするように設定される。
【００６４】
[0071]次に、ＵＥ１０２は、ＵＥ１０２にとってアクセス可能である第２のタイプの信号を検出し得る。第２のタイプの信号を検出すると、ステップ５０５において、コントローラ４１０は、第２のタイプの信号（すなわちＷＬＡＮ  ＴＤＤ）を受信するように第１のラジオ（すなわちトランシーバ４０１Ａおよび４６０Ａ）を構成するための第１の制御信号を生成し得る。コントローラ４１０は、デュプレクサ４０４Ａ〜４０４Ｄをバイパスする信号経路を作成し得る。特に、制御信号４２０Ａおよび４２０Ｂは、第２のタイプの信号を処理するフィルタ４０８Ａ、４０８Ｂ、４０９Ａ、４０９Ｂからフィルタを選択し得る。制御信号４２０Ｃおよび４２０Ｄは、ＴＤＤスイッチ４０５Ａとの間で信号を送信および受信するようにスイッチ４０６Ａ、４０６Ｂ、４０７Ａおよび４０８Ｂを構成する。制御信号４２０Ｅは、ＷＬＡＮ信号を送信および受信するようにＷＷＡＮ／ＷＬＡＮスイッチ４０３Ａ〜４０３Ｂを構成する。
【００６５】
[0072]次に、ステップ５０７において、コントローラ４１０は、第１のラジオが第２のタイプの信号を受信する間に第２のラジオが第１のタイプの信号を受信し続けるような第２の制御信号を生成する。ステップ５０７の制御信号は、第２のラジオに対するステップ５０３からの制御信号と同様であり得る。
【００６６】
[0073]図６に、ダイバーシティ選択を使用するトランシーバアセンブリ６００の概略図を示す。トランシーバアセンブリ６００は、トランシーバ６０１Ａと、トランシーバ６０１Ｂと、コントローラ６１９Ａと、コントローラ６１９Ｂと、ベースバンドプロセッサ６５０とを含む。図４中のトランシーバアセンブリ４００とは異なり、トランシーバアセンブリ６００は、ダイバーシティ選択を実行し得る。特に、各トランシーバ６０１Ａおよび６０１Ｂは、２つのアンテナを有し、トランシーバは、各アンテナから受信された信号品質に基づいてどのアンテナを使用すべきかを決定し得る。図６は、ダイバーシティ合成を用いるＦＤＤ（周波数分割複信）キャリアアグリゲーショントランシーバの実装形態である。他の実施形態では、ダイバーシティ合成を用いるＴＤＤキャリアアグリゲーショントランシーバは、第２の信号を受け入れるように変更され得る。ＴＤＤキャリアアグリゲーショントランシーバ中のフィルタのうちの１つは、第２のタイプの信号の周波数を受信するように制御され得る。
【００６７】
[0074]トランシーバ６０１Ａおよび６０１Ｂはそれぞれ、同様の方法で接続される同様の構成要素を有する。たとえば、トランシーバ６０１Ａは、それぞれ、信号経路６３５Ａおよび６３５Ｂによって各々がアンテナセレクタ６０３Ａに接続される２つのアンテナ６０２Ａおよび６０２Ｂを含む。様々な実施形態では、アンテナセレクタ６０３Ａは、単極双投スイッチであり得る。アンテナセレクタ６０３Ａは、アンテナから受信された信号品質に基づいて信号を受信または送信するためにアンテナ６０２Ａまたは６０２Ｂのうちの１つを選択するように設計され得る。同様に、トランシーバ６０１Ｂは、信号経路６３５Ｃおよび６３５Ｄによって各々がアンテナセレクタ６０３Ｂに接続される２つのアンテナ６０２Ｃおよび６０２Ｄを含む。アンテナセレクタ６０３Ｂは、アンテナから受信された信号品質に基づいて信号を受信または送信するためにアンテナ６０２Ｃまたは６０２Ｄのうちの１つを選択するように設計され得る。様々な実施形態では、アンテナセレクタ６０３Ａまたは６０３Ｂは、信号経路６３６Ａまたは６３６Ｂを介してＷＷＡＮ／ＷＬＡＮスイッチ６０４Ａまたは６０４Ｂとの間で信号を送信または受信し得る。
【００６８】
[0075]様々な実施形態では、ＷＷＡＮ／ＷＬＡＮスイッチ６０４Ａは、コントローラ６１９Ａから制御信号６２０Ｅを受信し得る。同様に、ＷＷＡＮ／ＷＬＡＮスイッチ６０４Ｂは、コントローラ６１９Ａから制御信号６２１Ｅを受信し得る。ＷＷＡＮ／ＷＬＡＮスイッチ６０４Ａおよび６０４Ｂの両方は、それぞれ、ＦＤＤデュプレクサ６０５Ａおよび６０５Ｂとの間で信号を送信または受信し得る。ＦＤＤデュプレクサ６０５Ａおよび６０５Ｂは、ＷＷＡＮ信号について周波数分割複信モードで動作し得る。ＷＷＡＮ／ＷＬＡＮスイッチ６０４Ａおよび６０４Ｂは、ＴＤＤスイッチ６０６ＡまたはＴＤＤスイッチ６０６Ｂの間で信号を送信または受信し得る。時分割複信スイッチ６０６Ａおよび６０６Ｂは、ＷＬＡＮ信号を送信または受信し得る。制御信号６２０Ｅおよび６２１Ｅは、ＷＷＡＮ／ＷＬＡＮスイッチ６０４Ａおよび６０４Ｂによって受信される信号のタイプを選定する。
【００６９】
[0076]ＦＤＤデュプレクサ６０５Ａは、ＷＷＡＮ／ＷＬＡＮスイッチ６０４Ａとの間で信号を送信および受信する。ＦＤＤデュプレクサ６０５Ｂは、ＷＷＡＮ／ＷＬＡＮスイッチ６０４Ｂとの間で信号を送信および受信する。ＦＤＤデュプレクサ６０５Ａは、スイッチ６０７Ａに信号を送り、ＦＤＤデュプレクサ６０５Ａは、スイッチ６０８Ａから信号を受信する。ＦＤＤデュプレクサ６０５Ｂは、スイッチ６０７Ｂに信号を送り、ＦＤＤデュプレクサ６０５Ｂは、スイッチ６０８Ｂから信号を受信する。
【００７０】
[0077]ＴＤＤスイッチ６０６Ａは、ＷＷＡＮ／ＷＬＡＮスイッチ６０４Ａとの間で信号を送信または受信する。ＴＤＤスイッチ６０６Ａは、信号経路６４２Ａを介してスイッチ６０８Ａから信号を受信する。ＴＤＤスイッチ６０６Ａは、信号経路６４１Ａを介してスイッチ６０７Ａに信号を送る。ＴＤＤスイッチ６０６Ｂは、ＷＷＡＮ／ＷＬＡＮスイッチ６０４Ｂとの間で信号を送信または受信する。ＴＤＤスイッチ６０６Ｂは、信号経路６４２Ｂを介してスイッチ６０８Ｂから信号を受信する。ＴＤＤスイッチ６０６Ａは、信号経路６４１Ｂを介してスイッチ６０７Ｂに信号を送る。
【００７１】
[0078]様々な実施形態では、スイッチ６０７Ａは、単極双投スイッチであり得る。スイッチ６０７Ａは、コントローラ６１９Ａから制御信号６２０Ｃを受信する。スイッチ６０７Ａは、信号経路６３４Ａを介してＦＤＤデュプレクサ６０５Ａから、信号経路６４１Ａを介してＴＤＤスイッチ６０６Ａから信号を受信する。スイッチ６０７Ａは、フィルタ６０９Ａに信号を送る。スイッチ６０７Ａは、限定はしないが、ＷＷＡＮ信号などのＦＤＤ信号を受信するようにトランシーバが動作しているときにＦＤＤデュプレクサ６０５Ａからの信号を送るように構成される。スイッチ６０７Ａは、限定はしないが、ＷＬＡＮ信号などのＴＤＤ信号を受信するようにトランシーバ６０１Ａが構成されているときにＴＤＤスイッチ６０６Ａからの信号を送るように構成される。
【００７２】
[0079]様々な実施形態では、スイッチ６０７Ｂは、単極双投スイッチであり得る。スイッチ６０７Ｂは、コントローラ６１９Ｂから制御信号６２１Ｃを受信する。スイッチ６０７Ｂは、信号経路６３４Ｂを介してＦＤＤデュプレクサ６０５Ｂから、信号経路６４１Ｂを介してＴＤＤスイッチ６０６Ｂから信号を受信する。スイッチ６０７Ｂは、フィルタ６０９Ｂに信号を送る。スイッチ６０７Ｂは、限定はしないが、ＷＷＡＮ信号などのＦＤＤ信号を受信するようにトランシーバが動作しているときにＦＤＤデュプレクサ６０５Ｂからの信号を送るように構成される。スイッチ６０７Ｂは、限定はしないが、ＷＬＡＮ信号などのＴＤＤ信号を受信するようにトランシーバ６０１Ｂが構成されているときにＴＤＤスイッチ６０６Ｂからの信号を受信するように構成される。
【００７３】
[0080]様々な実施形態では、スイッチ６０８Ａは、単極双投スイッチであり得る。スイッチ６０８Ａは、コントローラ６１９Ａから制御信号６２０Ｄを受信する。スイッチ６０７Ａは、信号経路６３９Ａを介してフィルタ６１０Ａへの信号を受信する。スイッチ６０８Ａは、信号経路６４０Ａを介してＦＤＤデュプレクサ６０５Ａに、信号経路６４２Ａを介してＴＤＤスイッチ６０６Ａに信号を送る。スイッチ６０８Ａは、限定はしないが、ＷＷＡＮ信号などのＦＤＤ信号を送るようにトランシーバが動作しているときにＦＤＤデュプレクサ６０５Ａに信号を送るように構成される。スイッチ６０８Ａは、限定はしないが、ＷＬＡＮ信号などのＴＤＤ信号を送るようにトランシーバ６０１Ａが構成されているときにＴＤＤスイッチ６０６Ａに信号を送るように構成される。
【００７４】
[0081]フィルタ６０９Ａは、様々な中心周波数にあり、ある帯域幅をもつ信号を処理することを可能にするように構成された１つまたは複数のフィルタ（たとえば、複数のフィルタのバンク）を備え得る。様々な実施形態では、フィルタ６０９Ａは、他の信号（たとえば、ジャミング信号）を除去し得る。フィルタ６０９Ａは、信号経路６３３Ａを介してスイッチ６０７Ａから信号を受信し得、制御信号６２０Ａを受信し得る。フィルタ６０９Ａは、受信された信号を処理し、ベースバンドプロセッサ６５０に対して信号を送り得る。上述のように、フィルタ６０９Ａとベースバンドプロセッサ６５０との間に他の電気的構成要素があり得る。電気的構成要素は、ミキサ、局部発振器、ダウンコンバータなどを含み得る。フィルタ６０９Ａは、コントローラ６１９Ａから制御信号６２０Ａを受信し得る。制御信号６２０Ａは、第１のタイプの信号を受信することから第２のタイプの信号を受信することを行うようにトランシーバ６０１Ａを切り替えるために、フィルタ６０９Ａに位置するフィルタのバンク内のフィルタを選択し得る。制御信号６２０Ａはまた、第２のタイプの信号が利用不可能であるとき、第１のタイプの信号を受信し処理することに切り替えて戻るようにフィルタ６０９Ａを制御し得る。様々な実施形態では、第１のタイプの信号はＷＷＡＮ信号であり得、第２のタイプの信号はＷＬＡＮ信号であり得る。
【００７５】
[0082]フィルタ６１０Ａは、様々な中心周波数にあり、ある帯域幅をもつ信号を処理することを可能にするように構成された１つまたは複数のフィルタ（たとえば、複数のフィルタのバンク）を備え得る。様々な実施形態では、フィルタ６１０Ａは、他の信号（たとえば、ジャミング信号）を除去し得る。フィルタ６１０Ａは、信号経路６３６Ａを介してベースバンドプロセッサ６５０から信号を受信し得る。フィルタ６１０Ａはまた、コントローラ６１９Ａから制御信号６２０Ｂを受信し得る。フィルタ６１０Ａは、信号経路６３９Ａを介してスイッチ６０８Ａに信号を送り得る。上述のように、フィルタ６１０Ａとベースバンドプロセッサ６５０との間に他の電気的構成要素があり得る。電気的構成要素は、ミキサ、局部発振器、ダウンコンバータなどを含み得る。フィルタ６１０Ａは、コントローラ６１９Ａから制御信号６２０Ｂを受信し得る。制御信号６２０Ｂは、第１のタイプの信号を送ることから第２のタイプの信号を送ることを行うようにトランシーバ６０１Ａを切り替えるために、フィルタ６１０Ａに位置するフィルタのバンク内のフィルタを選択し得る。制御信号６２０Ｂはまた、第２のタイプの信号が利用不可能であるとき、第１のタイプの信号を受信し処理するようにフィルタ６１０Ａを制御し得る。様々な実施形態では、第１のタイプの信号はＷＷＡＮ信号であり得、第２のタイプの信号はＷＬＡＮ信号であり得る。
【００７６】
[0083]フィルタ６０９Ｂは、様々な中心周波数にあり、ある帯域幅をもつ信号を処理することを可能にするように構成された１つまたは複数のフィルタ（たとえば、複数のフィルタのバンク）を備え得る。様々な実施形態では、フィルタ６０９Ｂは、他の信号（たとえば、ジャミング信号）を除去し得る。フィルタ６０９Ｂは、信号経路６３３Ｂを介してスイッチ６０７Ｂから信号を受信し得、フィルタ６０９Ｂは、制御信号６２１Ａを受信し得る。フィルタ６０９Ｂは、受信された信号を処理し、ベースバンドプロセッサ６５０に信号経路６３０Ｂ上で信号を送り得る。上述のように、フィルタ６０９Ｂとベースバンドプロセッサ６５０との間に他の電気的構成要素があり得る。電気的構成要素は、ミキサ、局部発振器、ダウンコンバータなどを含み得る。フィルタ６０９Ｂは、コントローラ６１９Ｂから制御信号６２１Ａを受信し得る。制御信号６２１Ａは、第１のタイプの信号を受信することから第２のタイプの信号を受信することを行うようにトランシーバ６０１Ｂを切り替えるために、フィルタ６０９Ｂに位置する複数のフィルタのバンク内のフィルタを選択し得る。制御信号６２１Ａはまた、第２のタイプの信号が利用不可能であるとき、第１のタイプの信号を受信し処理するようにフィルタ６０９Ｂを制御し得る。様々な実施形態では、第１のタイプの信号はＷＷＡＮ信号であり得、第２のタイプの信号はＷＬＡＮ信号であり得る。
【００７７】
[0084]フィルタ６１０Ｂは、様々な中心周波数にあり、ある帯域幅をもつ信号を処理することを可能にするように構成された１つまたは複数のフィルタ（たとえば、複数のフィルタのバンク）を備え得る。様々な実施形態では、フィルタ６１０Ｂは、他の信号（たとえば、ジャミング信号）を除去し得る。フィルタ６１０Ｂは、信号経路６３６Ｂを介してベースバンドプロセッサ６５０から信号を受信し得る。フィルタ６１０Ｂはまた、コントローラ６１９Ｂから制御信号６２１Ｂを受信し得る。フィルタ６１０Ｂは、信号経路６３９Ｂを介してスイッチ６０８Ｂに信号を送り得る。上述のように、フィルタ６１０Ｂとベースバンドプロセッサ６５０との間に他の電気的構成要素があり得る。電気的構成要素は、ミキサ、局部発振器、ダウンコンバータなどを含み得る。フィルタ６１０Ｂは、コントローラ６１９Ｂから制御信号６２１Ｂを受信し得る。制御信号６２１Ｂは、第１のタイプの信号を送ることから第２のタイプの信号を送ることを行うようにトランシーバ６０１Ｂを切り替えるために、フィルタ６１１Ａに位置する複数のフィルタのバンク内のフィルタを選択し得る。制御信号６２１Ｂはまた、第２のタイプの信号が利用不可能であるとき、第１のタイプの信号を受信し処理するようにフィルタ６１０Ｂを制御し得る。様々な実施形態では、第１のタイプの信号はＷＷＡＮ信号であり得、第２のタイプの信号はＷＬＡＮ信号であり得る。
【００７８】
[0085]ベースバンドプロセッサ６５０は、アナログ信号をデジタル信号に、デジタル信号をアナログ信号に変換し得る。ベースバンドプロセッサ６５０は、信号処理を実行するように構成され、信号生成、変調、符号化、ならびに周波数シフトおよび信号送信などの無線制御機能を管理し得る。様々な実施形態では、ベースバンドプロセッサ６５０は、図面を簡略化するためにここで図示していないＩＦＦＴ（逆高速フーリエ変換）と、Ｄ／Ａ（デジタルアナログ変換器）と、Ａ／Ｄ（アナログデジタル変換器）とを含み得る。図６に示すベースバンドプロセッサ６５０は、それぞれ、信号経路６２２Ａおよび６２２Ｂ上でコントローラ６１９Ａおよび６１９Ｂから信号を受信するように構成される。ベースバンドプロセッサ６５０はまた、ミキサ／ＬＯ６１３Ａおよびミキサ／ＬＯ６１３Ｂから信号を受信し得る。ベースバンドプロセッサ６５０は、それぞれ、信号経路６３６Ａおよび６３６Ｂを使用することによってミキサ／ＬＯ６１４Ａおよびミキサ／ＬＯ６１４Ｂに信号を送るように構成される。いくつかの実施形態では、ベースバンドプロセッサ６５０は、ＷＷＡＮ信号とＷＬＡＮ信号との両方を受信し、処理するように構成される。他の実施形態では、ベースバンドプロセッサ６５０は、各トランシーバ６０１Ａおよび６０１ＢからＷＷＡＮ信号を送信／受信し得る。他の実施形態では、ベースバンドプロセッサ６５０は、トランシーバ６０１Ｂが第２のタイプの信号を送信／受信する間に、トランシーバ６０１Ａから第１のタイプの信号を送信／受信し得る。例示的な実施形態では、第１のタイプの信号はＷＷＡＮ信号であり、第２のタイプの信号はＷＬＡＮ信号である。ベースバンドプロセッサ６５０は、両方のタイプの信号を同時に処理するように構成され得る。他の実施形態では、ベースバンドプロセッサ６５０は、トランシーバ６０１ＢがＷＬＡＮ信号を送信／受信し得る間に、トランシーバ６０１Ａとの間でＷＷＡＮ信号を送信／受信し得る。様々な実施形態では、ベースバンドプロセッサ６５０は、コントローラ６１９Ａまたは６１９Ｂから受信された入力に基づいてどの信号タイプを処理すべきかを決定し得る。他の実施形態では、ベースバンドプロセッサ６５０は、ＵＥ１０２がアクセス可能なＷＬＡＮ信号を検出したので、ベースバンドプロセッサ６５０が第２のタイプの信号を受信すべきであるとの信号をＵＥ１０２またはコントローラ６１９Ａおよび６１９Ｂから受信し得る。ベースバンドプロセッサ６５０は、ＷＬＡＮ信号を送信／受信するようにトランシーバを制御するためにトランシーバ６０１Ａまたは６０１Ｂのうちの少なくとも１つに制御信号６２０Ａ〜６２０Ｅまたは６２１Ａ〜６１９Ｅを送るようにコントローラ６１９Ａまたは６１９Ｂに通知するために信号経路６２２Ａまたは６２２Ｂ上で信号を送り得る。
【００７９】
[0086]コントローラ６１９Ａは、信号経路６２２Ａを介してベースバンドプロセッサ６５０との間で信号を送信および受信し得る。コントローラ６１９Ａは、トランシーバ６０１Ａの様々な構成要素を制御する制御信号６２０Ａ、６２０Ｂ、６２０Ｃ、６２０Ｄ、および６２０Ｅを与える。コントローラ６１９Ａからの制御信号は、トランシーバ６０１Ａが以前に受信していた第１のタイプの信号とは異なる第２のタイプの信号を受信するための少なくとも１つの信号経路を作成するようにトランシーバを制御する。特に、制御信号６２０Ａにより、コントローラは、フィルタ６０９Ａを調整することが可能になる。制御信号６２０Ｂにより、コントローラは、フィルタ６１０Ａを調整することが可能になる。制御信号６２０Ｃは、スイッチ６０７Ａを変更し得る。たとえば、制御信号６２０Ｃは、ＦＤＤデュプレクサ６０５Ａから信号を受信するようにスイッチ６０７Ａを変更し得る。代替的に、制御信号６２０Ｃは、ＴＤＤスイッチ６０６Ａから信号を受信し送信するようにスイッチ６０７Ａを変更し得る。制御信号６２０Ｄは、ＦＤＤデュプレクサ６０５ＡにまたはＴＤＤスイッチ６０６Ａに信号を送るようにスイッチ６０８Ａを変更し得る。制御信号６２０Ｅは、ＦＤＤデュプレクサ６０５Ａとの間で信号を送信または受信するか、またはＴＤＤスイッチ６０６Ａとの間で信号を送信または受信するようにＷＷＡＮ／ＷＬＡＮスイッチ６０４Ａを変更し得る。
【００８０】
[0087]コントローラ６１９Ｂは、信号経路６２２Ｂを介してベースバンドプロセッサ６５０との間で信号を送信および受信し得る。コントローラ６１９Ｂは、トランシーバ６０１Ｂの様々な構成要素を制御する制御信号６２１Ａ、６２１Ｂ、６２１Ｃ、６２１Ｄ、および６２１Ｅを与える。コントローラ６１９Ｂからの制御信号は、トランシーバ６０１Ｂが以前に受信していた第１のタイプの信号とは異なる第２のタイプの信号を受信するための少なくとも１つの信号経路を作成するように設計されたトランシーバを制御する。特に、制御信号６２１Ａにより、コントローラは、フィルタ６０９Ｂを調整することが可能になる。制御信号６２１Ｂにより、コントローラは、フィルタ６１０Ｂを調整することが可能になる。制御信号６１０Ｃは、ＦＤＤデュプレクサ６０５ＢまたはＴＤＤスイッチ６０６Ｂのいずれかから信号を受信するようにスイッチ６０７Ｂを変更し得る。たとえば、制御信号６２１Ｃは、ＦＤＤデュプレクサ６０５Ｂから信号を受信するようにスイッチ６０７Ｂを変更し得る。代替的に、制御信号６２０Ｃは、ＴＤＤスイッチ６０６Ｂから信号を受信し送信するようにスイッチ６０７Ｂを変更し得る。制御信号６２０Ｄは、ＦＤＤデュプレクサ６０５ＢにまたはＴＤＤスイッチ６０６Ｂに信号を送るようにスイッチ６０８Ｂを変更し得る。制御信号６２０Ｅは、ＦＤＤデュプレクサ６０５Ａとの間で信号を送信または受信するか、またはＴＤＤスイッチ６０６Ｂとの間で信号を送信／受信するようにＷＷＡＮ／ＷＬＡＮスイッチ６０４Ｂを変更し得る。
【００８１】
[0088]ＬＮＡ６１１Ａは、フィルタ６０９Ａから信号を受信する。ＬＮＡ６１１Ａは、受信された信号を増幅する低雑音増幅器である。いくつかの実施形態では、ＬＮＡ６１１Ａは、トランシーバ６０１Ａ中の他の構成要素からの信号に注入されていることがある雑音の効果を補償する。様々な実施形態では、ＬＮＡ６１１Ａは、異なるタイプの信号を受信し、異なるタイプの信号を増幅するように構成され得る。たとえば、ＬＮＡ６１１Ａは、フィルタ６０９Ａによってフィルタ処理された信号のタイプに基づいて、第１のタイプの信号（たとえば、ＷＷＡＮ）または第２のタイプの信号（たとえば、ＷＬＡＮ）を受信し得る。いくつかの実施形態では、フィルタ６０９Ａからの信号は、どのタイプの信号が処理されているのかをＬＮＡ６１１Ａに通知し得、ＬＮＡ６１１Ａは、受信されているそのタイプの信号を増幅するようにそれの増幅特性を調整し得る。様々な実施形態では、ＬＮＡ６１１Ａは、処理されている信号のタイプに関してＬＮＡ６１１Ａに通知する、コントローラ６１９Ａからの制御信号を受信し得る。ＬＮＡ６１１Ｂは、フィルタ６０９Ｂから信号を受信する。ＬＮＡ６１１Ｂは、ＬＮＡ６１１Ａと同様の機能を実行する。様々な実施形態では、ＬＮＡ６１１Ｂは、フィルタ６０９Ｂから信号を受信し、ミキサ／ＬＯ６１３Ｂに信号を送る。
【００８２】
[0089]ＰＡ６１２Ａは、フィルタミキサ／ＬＯ６１４Ａから信号を受信し、フィルタ６１０Ａに信号を送る。ＰＡ６１２Ａは、受信された信号を増幅する電力増幅器である。いくつかの実施形態では、ＰＡ６１２Ａは、トランシーバ６０１Ａ中の他の構成要素からの信号に注入されていることがある雑音の効果を補償する。様々な実施形態では、ＰＡ６１２Ａは、異なるタイプの信号を受信し、異なるタイプの信号を増幅するように構成され得る。たとえば、ＰＡ６１２Ａは、フィルタ６１０Ａによってフィルタ処理される信号のタイプに基づいて、第１のタイプの信号（たとえば、ＷＷＡＮ）または第２のタイプの信号（たとえば、ＷＬＡＮ）を受信し得る。いくつかの実施形態では、ミキサ／ＬＯ６１４Ａからの信号は、どのタイプの信号が処理されているのかをＰＡ６１２Ａに通知し得、ＰＡ６１２Ａは、受信されているそのタイプの信号を増幅するようにそれの増幅特性を調整し得る。様々な実施形態では、ＰＡ６１２Ａは、処理されている信号のタイプに関してＰＡ６１２Ａに通知する、コントローラ６１９Ａからの制御信号を受信し得る。ＰＡ６１２Ｂは、フィルタ６１０Ｂから信号を受信する。ＰＡ６１２Ｂは、ＰＡ６１２Ａと同様の機能を実行する。様々な実施形態では、ＰＡ６１２Ｂは、ミキサ／ＬＯ６１４Ｂから信号を受信し、フィルタ６１０Ｂに信号を送る。
【００８３】
[0090]ミキサ／ＬＯ６１３Ａは、ＬＮＡ６１１Ａからの出力信号をダウンコンバートし、ベースバンドプロセッサ６５０に信号を送るように構成される。ミキサ／ＬＯ６１３Ａは、以下で詳細に説明する（限定はしないが、デュアルモード動作などの）マルチモード動作のために構成され得る。ミキサ／ＬＯ６１３Ａは、異なる通信規格およびプロトコルに適応するように（動作モードを変更することによって）選択的に適応することができる。ミキサ／ＬＯ６１３Ａは、ＬＮＡ６１１Ａからの出力信号を局部発振器（ＬＯ）からの出力信号と混合し、ダウンコンバートする。様々な実施形態では、制御信号６２０Ａは、ミキサ／ＬＯ６１３Ａに与えられ得る。コントローラ６１９Ａからの制御信号は、ミキサ／ＬＯ６１３Ａ内の適切なローカル発振周波数またはミキサ特性を選定し得る。ミキサ／ＬＯ６１３Ａは、複数の異なるタイプの信号を混合し、ダウンコンバートするように構成され得る。たとえば、ミキサ／ＬＯ６１３Ａは、特定の時間期間内にＷＷＡＮ信号を処理し得る。別の時間期間中に、ミキサ／ＬＯ６１３Ａは、ＷＬＡＮ信号を処理し得る。処理されるべき信号のタイプの決定は、トランシーバの動作可能なモードに依存し得る。ミキサ／ＬＯ６１３Ｂは、ミキサ／ＬＯ６１３Ａと同様の方法で動作し得る。ミキサ／ＬＯ６１３Ｂは、ＬＮＡ６１１Ｂからの信号をダウンコンバートし、ベースバンドプロセッサ６５０に信号を送り得る。
【００８４】
[0091]ミキサ／ＬＯ６１４Ａは、ベースバンドプロセッサ６５０から受信された信号をアップコンバートする。ミキサ／ＬＯ６１４Ａは、ＰＡ６１２Ａにアップコンバートされた信号を送る。ミキサ／ＬＯ６１４Ａは、以下で詳細に説明する（限定はしないが、デュアルモード動作などの）マルチモード動作のために構成され得る。ミキサデバイスは、異なる通信規格およびプロトコル（たとえば、ＷＷＡＮまたはＷＬＡＮ）に適応するように（動作モードを変更することによって）選択的に適応することができる。ミキサ／ＬＯ６１４Ａは、ベースバンドプロセッサ６５０からの出力を局部発振器（ＬＯ）からの出力と混合し、アップコンバートする。様々な実施形態では、制御信号６２０Ｂは、ミキサ／ＬＯ６１４Ａに与えられ得る。コントローラ６１９Ａからの制御信号は、ミキサ／ＬＯ６１４Ａ内の適切なローカル発振周波数またはミキサ特性を選定し得る。ミキサ／ＬＯ６１４Ａは、複数の異なるタイプの信号を混合するように構成され得る。たとえば、ミキサ／ＬＯ６１４Ａは、ある時間期間にＷＷＡＮ信号を処理し得る。別の時間期間中に、ミキサ／ＬＯ６１４Ａは、ＷＬＡＮ信号を処理し得る。処理される信号のタイプに関する決定は、トランシーバの動作可能なモードに依存し得る。ミキサ／ＬＯ６１４Ｂは、ミキサ／ＬＯ６１４Ａと同様の方法で動作し得る。ミキサ／ＬＯ６１４Ｂは、ベースバンドプロセッサ６５０からの信号をアップコンバートし、ＰＡ６１２Ｂに信号を送り得る。
【００８５】
[0092]図７は、図６中のシステムによって実施され得るワイヤレス通信の方法７００のフローチャートである。他の実施形態では、方法７００のフローチャートは、図１〜図２Ｂおよび図４中のシステムによって実施され得る。ステップ７０１において、トランシーバ６０１Ａおよび６０１Ｂは、第１のトランシーバ６０１Ａおよび第２のトランシーバ６０１Ｂから受信された第１のタイプのワイヤレス信号に対してキャリアアグリゲーションを実行し得る。次に、ステップ７０３において、ＵＥ１０２は、ＵＥ１０２にとってアクセス可能である第２のタイプの信号を検出し得る。
【００８６】
[0093]次に、ステップ７０５において、ベースバンドプロセッサ６５０は、第１のトランシーバ６０１Ａが第２のタイプの信号を受信および送信するための制御信号（すなわち、６２０Ａ、６２０Ｂ、６２０Ｃ、６２０Ｄ、および６２０Ｅ）を生成するための信号を第１のコントローラ６１９Ａに送り得る。制御信号６２０Ａは、フィルタ６０９Ａを変更して、第２のタイプの信号（たとえば、ＷＬＡＮ）の要件に準拠する中心周波数および帯域幅（たとえば、２．４ＧＨｚまたは５ＧＨｚ）を有するフィルタのバンク中のフィルタを選択し得る。制御信号６２０Ｂはまた、フィルタ６１０Ａ内にあるフィルタのバンクから同様に適切なフィルタを選択し得る。制御信号６２０Ｃは、ＴＤＤスイッチ６０６Ａから信号を受信するようにスイッチ６０７Ａを変更し得る。制御信号６２０Ｄは、ＴＤＤスイッチ６０６Ａに信号を送るようにスイッチ６０８Ａを変更し得る。制御信号６２０Ｅは、ＴＤＤスイッチ６０６Ａとの間で信号を送信および受信するようにＷＷＡＮ／ＷＬＡＮスイッチ６０４Ａを切り替え得る。
【００８７】
[0094]ステップ７０７において、ベースバンドプロセッサ６５０は、第２のトランシーバ６０１Ｂが第１のタイプの信号を送信および受信し続けるための制御信号（たとえば、６２１Ａ、６２１Ｂ、６２１Ｃ、６２１Ｄ、および６２１Ｅ）を生成するための信号を第２のコントローラ６１９Ｂに送る。制御信号６２１Ａにより、フィルタ６０９Ｂは、第１のタイプの信号（たとえば、ＷＷＡＮ）の要件に準拠する中心周波数および帯域幅を有するフィルタのバンク中のフィルタを選択することが可能になり得る。制御信号６２１Ｂはまた、フィルタ６１０Ｂ内にあるフィルタのバンクから適切なフィルタを選択し得る。制御信号６２１Ｃは、ＦＤＤデュプレクサ６０５Ｂから信号を受信するようにスイッチ６０７Ｂを構成し得る。制御信号６２１Ｄは、ＦＤＤデュプレクサ６０５Ｂに信号を送るようにスイッチ６０８Ｂを構成し得る。制御信号６２０Ｅは、ＦＤＤデュプレクサ６０５Ｂとの間で信号を送信および受信するようにＷＷＡＮ／ＷＬＡＮスイッチ６０４Ｂを構成し得る。
【００８８】
[0095]上記で説明した例では、図４および図６中のシステムは、周波数分割複信（ＦＤＤ）でのＷＷＡＮ信号と、時分割複信（ＴＤＤ）でのＷＬＡＮ信号とを受信する。受信されるＷＷＡＮ信号が、ＴＤＤである場合、図４または図６からのコントローラがフィルタの周波数の変更を行い得、図４および図６に追加されている様々なスイッチを含めないように回路が簡略化され得る。たとえば、図４では、スイッチ４０６Ａ〜４０６Ｄ、４０５Ａ〜４０５Ｄ、４０７Ａ〜４０７Ｄおよびデュプレクサ４０６Ａ〜４０６Ｄならびに関係する回路が除去され得る。図４では、フィルタは、ＴＤＤ  ＷＷＡＮ信号とＴＤＤ  ＷＬＡＮ信号との間を切り替えるように調整され得る。図６では、スイッチ６０７Ａ〜６０７Ｂ、６０８Ａ〜６０８Ｂ、６０６Ａ〜６０６Ｂ、およびデュプレクサ６０５Ａ〜６０５Ｂが、除去され得るか、または必要とされ得ない。
【００８９】
[0096]様々な実施形態では、図３、図５、および図７のフローチャート中のアルゴリズムのステップの各々は、１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９０】
[0097]開示されたプロセス中のステップの特定の順序または階層は、例示的な手法の一例であることを理解されたい。設計上の選好に基づいて、プロセスにおけるステップの特定の順序または階層は並べ替えられ得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００９１】
[0098]以上の説明は、本明細書で説明された様々な態様を当業者が実施することを可能にするために与えられた。これらの態様に対する様々な変更は当業者には容易に明らかになり、本明細書で定義した一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【００９２】
[0099]開示されたプロセスのステップの特定の順序または階層は例示的な手法の例であることが理解される。設計の選好に基づいて、プロセス中のステップの具体的な順序または階層は、本開示の範囲内に留まりながら再配置され得ることが理解される。添付の方法クレームは、様々なステップの要素を例示的な順序で提示したものであり、提示された特定の順序または階層に限定されるものではない。
【００９３】
[0100]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９４】
[0101]さらに、本明細書で開示する実装形態に関して説明した様々な例示的な論理ブロック、モジュール、回路、およびアルゴリズムステップは、電子ハードウェア、有形媒体上で実施されるコンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能性が、有形媒体上で実施されるハードウェアまたはソフトウェアのどちらとして実施されるのかは、特定の応用例と、システム全体に課せられる設計制約とに依存する。当業者は、説明した機能を特定の適用例ごとに様々な方法で実装し得るが、そのような実装決定は、本開示の範囲からの逸脱を生じるものと解釈すべきではない。
【００９５】
[0102]本明細書で開示する実装形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替では、プロセッサは任意の従来のプロセッサ、コントローラ、マイクロコントローラ、またはステートマシンであり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【００９６】
[0103]本明細書で開示された実装形態に関して説明された方法またはアルゴリズムのステップは、直接ハードウェアで、プロセッサによって実行されるソフトウェアモジュールで、またはそれら２つの組合せで具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体内に存在し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に存在し得る。代替として、プロセッサおよび記憶媒体は、ユーザ端末において個別構成要素として存在し得る。
【００９７】
[0104]１つまたは複数の例示的な実装形態では、説明する機能は、有形媒体上で実施されるハードウェア、ソフトウェアまたはファームウェア、あるいはそれらの任意の組合せで実施され得る。ソフトウェアで実装される場合、機能は、１つまたは複数の命令またはコードとして、コンピュータ可読媒体上に記憶されるか、またはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の入手可能な媒体であり得る。限定でなく例として、そのようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または所望のプログラムコードを命令またはデータ構造の形式で搬送または記憶するために使用され得、コンピュータによってアクセスされ得る、他の任意の媒体を備え得る。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）、およびＢｌｕ−Ｒａｙ（登録商標）ディスク（disc）を含み、ディスク（disk）は、通常、データを磁気的に再生し、ディスク（disc）は、データをレーザーで光学的に再生する。上記の組合せもまた、コンピュータ可読媒体の範囲内に含まれるべきである。
【００９８】
[0105]開示した実装形態の以上の説明は、当業者が本開示を製作または使用することができるようにするために提供したものである。これらの実装形態の様々な変更形態は、当業者には容易に明らかになるものであり、本明細書で定義した一般原理は、本開示の趣旨または範囲から逸脱することなく他の実装形態に適用され得る。したがって、本開示は、本明細書で示した実装形態に限定されるものではなく、本明細書で開示された原理および新規の特徴に一致する最も広い範囲を与られるべきである。
以下に、本願出願の当初の特許請求の範囲に記載された発明を付記する。
［Ｃ１］
ワイヤレス通信のためのモバイルデバイスであって、
第１の信号タイプの２つの信号をアグリゲートするように構成された２つ以上のトランシーバを有するキャリアアグリゲーションラジオを備え、
他のトランシーバのうちの少なくとも１つのトランシーバが、前記第１の信号タイプを受信し続ける間に、前記トランシーバのうちの少なくとも１つのトランシーバが、第２の信号タイプを受信するようにさらに構成された、
モバイルデバイス。
［Ｃ２］
前記トランシーバのうちの前記少なくとも１つのトランシーバが前記第２の信号タイプを受信することを可能にするために前記トランシーバのうちの前記少なくとも１つのトランシーバ内のフィルタ特性を調整するように構成されたトランシーバコントローラをさらに備える、Ｃ１に記載のモバイルデバイス。
［Ｃ３］
前記トランシーバのうちの前記少なくとも１つのトランシーバが前記第２の信号タイプを受信することを可能にするために前記トランシーバのうちの前記少なくとも１つのトランシーバ中のフィルタを切り替えるように構成されたトランシーバコントローラをさらに備える、Ｃ１に記載のモバイルデバイス。
［Ｃ４］
前記少なくとも１つのトランシーバによって受信されている信号のタイプを検出するように構成されたベースバンドプロセッサをさらに備え、
ここにおいて、前記ベースバンドプロセッサは、前記トランシーバが前記第１の信号タイプを受信しているのかまたは前記第２の信号タイプを受信しているのかに基づいて別様に信号を処理するように構成される、
Ｃ２に記載のモバイルデバイス。
［Ｃ５］
前記トランシーバコントローラが、前記トランシーバのうちの前記少なくとも１つのトランシーバ中での前記フィルタ特性の前記変更に関してベースバンドプロセッサに通知し、ここにおいて、前記フィルタ特性が、中心周波数である、Ｃ２に記載のモバイルデバイス。
［Ｃ６］
前記第１の信号タイプがＷＷＡＮ信号であり、前記第２の信号タイプがＷＬＡＮ信号である、Ｃ１に記載のモバイルデバイス。
［Ｃ７］
ＦＤＤデュプレクサをバイパスする信号経路を作成するために前記少なくとも１つのトランシーバの複数の単極双投スイッチに制御信号を送信するように構成されたコントローラをさらに備える、Ｃ１に記載のモバイルデバイス。
［Ｃ８］
前記トランシーバのうちの前記少なくとも１つのトランシーバが、ＦＤＤデュプレクサをバイパスするために信号経路を作成する複数の単極双投スイッチを含む、Ｃ１に記載のモバイルデバイス。
［Ｃ９］
ワイヤレス通信のための方法であって、
第１のトランシーバによって第１のタイプの信号を受信することと、
第２のトランシーバによって第１のタイプの信号を受信することと、
前記第１のトランシーバによって受信された前記信号と前記第２のトランシーバによって受信された前記信号とをキャリアアグリゲートすることと、
第２のタイプの信号を検出することと、
前記第２のトランシーバが前記第１のタイプの信号を受信し続ける間に、前記第２のタイプの信号を受信するように前記第１のトランシーバを切り替えることと
を備える方法。
［Ｃ１０］
前記第１のトランシーバと前記第２のトランシーバとが、キャリアアグリゲーション中にＷＷＡＮ信号を受信するように構成された、Ｃ９に記載の方法。
［Ｃ１１］
前記第１のタイプの信号がＷＷＡＮ信号であり、前記第２のタイプの信号がＷＬＡＮ信号である、Ｃ９に記載の方法。
［Ｃ１２］
前記切り替えることが、前記第１のトランシーバに接続されたコントローラによって実行され、前記方法が、
少なくとも１つのＦＤＤデュプレクサをバイパスするために前記第１のトランシーバに制御信号を送ることをさらに備える、Ｃ９に記載の方法。
［Ｃ１３］
前記第１のトランシーバが前記第２のタイプの信号を受信することを可能にするために前記第１のトランシーバ内のフィルタの特性を調整することをさらに備える、Ｃ９に記載の方法。
［Ｃ１４］
前記少なくとも１つのトランシーバが前記第２の信号タイプを処理することを可能にするために、フィルタ周波数を調整することと、前記トランシーバのうちの前記少なくとも１つのトランシーバ内の単極双投スイッチのうちの少なくとも１つをアクティブ化することとを行うように構成されたトランシーバコントローラをさらに備える、Ｃ９に記載の方法。
［Ｃ１５］
前記トランシーバコントローラが、処理されている信号に基づいて異なる制御信号を与えるように構成された、Ｃ１４に記載の方法。
［Ｃ１６］
第２のタイプの信号を処理するために前記第１のトランシーバ内に信号経路を作成するように少なくとも１つの制御信号を変更するように構成されたトランシーバコントローラをさらに備える、Ｃ９に記載の方法。
［Ｃ１７］
ワイヤレス通信のための装置であって、
第１のトランシーバと第２のトランシーバとによって受信された第１の信号タイプの２つの信号をキャリアアグリゲートするための手段と、
第２の信号タイプを検出すると、前記第１のトランシーバによって、第２の信号タイプを受信するための手段と
を備える装置。
［Ｃ１８］
前記第２の信号タイプに基づいて第１のトランシーバ内のフィルタの特性を変更するための手段をさらに備える、Ｃ１７に記載の装置。
［Ｃ１９］
前記第２の信号タイプを検出するための手段をさらに備える、Ｃ１７に記載の装置。
［Ｃ２０］
前記第２のトランシーバが第１のタイプの信号を受信し続ける間に、第２のタイプの信号を受信するように前記第１のトランシーバを変更するための第１の制御信号を生成するための手段をさらに備える、Ｃ１７に記載の装置。
【図１】
0006571080.tif 000002
【図２Ａ】
0006571080.tif 000003
【図２Ｂ】
0006571080.tif 000004
【図３】
0006571080.tif 000005
【図４】
0006571080.tif 000006
【図５】
0006571080.tif 000007
【図６】
0006571080.tif 000008
【図７】
0006571080.tif 000009